(57)【要約】【課題】太陽電池モジュールを屋根面に取り付けるための屋根瓦と連結金具において、連結金具の屋根瓦に対するずれを防止し、太陽電池モジュールの耐風性と見栄えを向上させることができ、屋根瓦の見栄えがよく頭部の損傷のおそれを小さくできる屋根瓦及び連結金具を提供する。【解決手段】屋根瓦１には、フック状に形成された係止突起１６と、瓦の上面における瓦の外周部よりも内側に溝部１８ｆ、２０ｆが形成され、連結金具１０１は、底面部１１０に、係止突起１６に係止する開口部１１２ａと、溝部１８ｆに嵌合する弾性部１１４と、溝部２０ｆに嵌合する弾性部１１６とを有し、弾性部１１４、１１６は、板状部材の先端を折曲げ形成した形状を呈し、弾性部１１４の先端が溝部１８ｆに嵌合し、弾性部１１６の先端が溝部２０ｆに嵌合する。【選択図】図１１
2013073351.tif 000002
【特許請求の範囲】
【請求項１】
太陽電池モジュールを連結金具を介して固定するための太陽電池モジュール設置用屋根瓦であって、
連結金具を係止するための係止突起で、屋根瓦の頭部側を正面側とした場合に、正面側と背面側と右側面側と左側面側のいずれか一方に切欠部を有するフック状を呈し、屋根瓦の上面に設けられた係止突起と、
連結金具を係止するための嵌合凹部で、屋根瓦の上面における屋根瓦の外周部よりも内側に形成された嵌合凹部と、
を有することを特徴とする太陽電池モジュール設置用屋根瓦。
【請求項２】
嵌合凹部が、屋根瓦の上面における前後方向において係止突起の形成位置よりも正面側となる領域及び／又は屋根瓦の上面における前後方向において係止突起の形成位置よりも背面側となる領域に形成されていることを特徴とする請求項１に記載の太陽電池モジュール設置用屋根瓦。
【請求項３】
嵌合凹部が、溝状に左右方向に形成されるとともに、係止突起の正面方向の位置及び／又は背面方向の位置に形成され、切欠部が係止突起の正面側又は背面側に形成されていることを特徴とする請求項１又は２に記載の太陽電池モジュール設置用屋根瓦。
【請求項４】
嵌合凹部が、穴状を呈するとともに、係止突起の正面方向の位置及び／又は背面方向の位置に形成され、切欠部が係止突起の正面側又は背面側に形成されていることを特徴とする請求項１又は２に記載の太陽電池モジュール設置用屋根瓦。
【請求項５】
嵌合凹部が、溝状に前後方向に形成され、切欠部が係止突起の右側面側又は左側面側に形成されていることを特徴とする請求項１又は２に記載の太陽電池モジュール設置用屋根瓦。
【請求項６】
嵌合凹部が、穴状を呈し、切欠部が係止突起の右側面側又は左側面側に形成されていることを特徴とする請求項１又は２に記載の太陽電池モジュール設置用屋根瓦。
【請求項７】
嵌合凹部が、屋根瓦の上面における前後方向において係止突起の形成位置よりも正面側となる領域及び屋根瓦の上面における前後方向において係止突起の形成位置よりも背面側となる領域に形成され、該一対の嵌合凹部が、係止突起を中心に略点対称の位置に形成されていることを特徴とする請求項５又は６に記載の太陽電池モジュール設置用屋根瓦。
【請求項８】
連結金具を係止するための係止突起で、屋根瓦の頭部側を正面側とした場合に、正面側と背面側と右側面側と左側面側のいずれか一方に切欠部を有するフック状を呈し、屋根瓦の上面に設けられた係止突起と、連結金具を係止するための嵌合凹部で、屋根瓦の上面における屋根瓦の外周部よりも内側に形成された嵌合凹部と、を有する屋根瓦に取り付けるとともに、太陽電池モジュールを支持するための太陽電池モジュール設置用連結金具であって、
略長方形の外形を有する底板部で、屋根瓦の係止突起を挿通し係止突起の切欠部を係止するための開口部を有する底板部と、底板部に設けられた弾性部とを有し、弾性部が、底板部に設けられ弾性を有する弾性部本体と、弾性部本体に設けられ、屋根瓦の嵌合凹部に嵌合する嵌合部とを有する底面部と、
底板部の一対の長辺部から立設した長辺側側壁部と、
底板部の一対の短辺部から立設した短辺側側壁部で、太陽電池モジュールに係止するための係止部が外側に突出して設けられた短辺側側壁部と、
を有し、
開口部に係止突起を挿通した状態で、切欠部側にスライドさせることにより、開口部の辺部が係止突起に係止するとともに、嵌合部が嵌合凹部に嵌合することにより、底板部の一方の短辺側を屋根瓦の正面側にして屋根瓦に取り付けられることを特徴とする太陽電池モジュール設置用連結金具。
【請求項９】
弾性部が、底板部における一方の短辺側を正面側とした場合に、開口部の正面方向の位置及び／又は開口部の背面方向の位置に形成されていることを特徴とする請求項８に記載の太陽電池モジュール設置用連結金具。
【請求項１０】
弾性部本体が、底板部を切り欠いて形成することにより舌片状に形成されていることを特徴とする請求項８又は９に記載の太陽電池モジュール設置用連結金具。
【請求項１１】
弾性部本体における基端から先端への方向が、底板部の長手方向であることを特徴とする請求項１０に記載の太陽電池モジュール設置用連結金具。
【請求項１２】
弾性部本体における基端から先端への方向が、底板部の短手方向であることを特徴とする請求項１０に記載の太陽電池モジュール設置用連結金具。
【請求項１３】
弾性部が一対設けられ、各弾性部における弾性部本体の基端から先端への方向が一対の弾性部において左右方向に逆方向に形成され、一方の弾性部の嵌合部と他方の弾性部の嵌合部が、底板部の開口部を中心に略点対称の位置に形成されていることを特徴とする請求項１２に記載の太陽電池モジュール設置用連結金具。
【請求項１４】
嵌合部が、弾性部本体の先端から弾性部本体に対して下方に屈曲して連設され、板状に形成されていることを特徴とする請求項１０又は１１又は１２又は１３に記載の太陽電池モジュール設置用連結金具。
【請求項１５】
嵌合部が、柱状又は錐状であることを特徴とする請求項８又は９又は１０又は１１又は１２又は１３に記載の太陽電池モジュール設置用連結金具。
【請求項１６】
太陽電池を屋根面へ取り付けるための太陽電池取付け構造体であって、
屋根瓦と、屋根瓦に取り付けられ、太陽電池モジュールを支持する連結金具と、連結金具に取り付けられる太陽電池モジュールとを有し、
屋根瓦は、
連結金具を係止するための係止突起で、屋根瓦の頭部側を正面側とした場合に、正面側と背面側と右側面側と左側面側のいずれか一方に切欠部を有するフック状を呈し、屋根瓦の上面に設けられた係止突起と、
連結金具の嵌合部が嵌合するための嵌合凹部で、屋根瓦の上面における屋根瓦の外周部よりも内側に形成された嵌合凹部と、
を有し、
連結金具は、
略長方形の外形を有する底板部で、屋根瓦の係止突起を挿通し係止突起の切欠部を係止するための開口部を有する底板部と、底板部に設けられた弾性部とを有し、弾性部が、底板部に設けられ弾性を有する弾性部本体と、弾性部本体に設けられ、屋根瓦の嵌合凹部に嵌合する嵌合部とを有する底面部と、
底板部の一対の長辺部から立設した長辺側側壁部と、
底板部の一対の短辺部から立設した短辺側側壁部で、太陽電池モジュールの爪部に係止するための係止部が外側に突出して設けられた短辺側側壁部と、
を有し、
開口部に係止突起を挿通した状態で、切欠部側にスライドさせることにより、開口部の
辺部が係止突起に係止するとともに、嵌合部が嵌合凹部に嵌合することにより、底板部の一方の短辺側を屋根瓦の正面側にして屋根瓦に取り付けられ、
太陽電池モジュールは、
略長方形状の板状を呈し、太陽電池を有するモジュール本体と、
モジュール本体の外周に設けられ一対の長辺部と一対の短辺部とで枠状に形成されたフレームで、長辺部及び短辺部に設けられ、モジュール本体を支持する支持部と、長辺部に設けられた金具係止部で、連結金具の係止部に係止する爪部を備えた金具係止部とを有するフレームと、
を有することを特徴とする太陽電池取付け構造体。
【請求項１７】
連結金具が屋根瓦に取り付けられた状態では、連結金具の正面側の端部と屋根瓦の正面側の端部とは、前後方向において略同一の位置となることを特徴とする請求項１６に記載の太陽電池取付け構造体。
【発明の詳細な説明】
【技術分野】
【０００１】
本発明は、傾斜した屋根において連結金具を介して太陽電池モジュールを取り付けるための屋根瓦と、該屋根瓦の上に太陽電池モジュールを取り付けるための連結金具と、それらを有する太陽電池取付け構造体に関するものである。
【背景技術】
【０００２】
従来より、太陽電池モジュールを連結金具を介して固定するための屋根瓦は、図２９〜図３１に示すように構成され、屋根瓦１００１は、上面中央部付近に前記連結金具が係止される係止突起１０１０を有し、頭部Ａに前記連結金具の端部が係合される中央頭部１００９ｃを有している（特許文献１）。【０００３】
また、従来の連結金具は、図３２、図３３に示すように構成され、連結金具１０２１は、平面が略長方形をなし横断面が略逆門形をなし、底面部１０３０の中央を切り欠いて開口１０３１を形成して、その開口に屋根瓦の上面に突出・形成した係止突起１０１０を係止可能にし、底面部１０３０の長手方向の端部を略コ字形に切り欠いて形成した第１舌片状弾性部１０３２の先端部１０３２ａをフック状にすることにより、連結金具１０２１を屋根瓦１００１側に押圧して前記係止突起１０１０を開口１０３１に係止させると同時に第１舌片状弾性部１０３２の先端部１０３２ａを屋根瓦の頭部Ａ（特に、中央頭部１００９ｃ）に係止させると、屋根瓦１００１と連結金具１０２１との係合部が所定の距離だけ離れて２箇所に形成されるとともに開口１０３１からの係止突起１０１０の係脱をできないようにしている（特許文献２）。
【先行技術文献】
【特許文献】
【０００４】
【特許文献１】特開２００５−２４０５２２号公報
【特許文献２】特開２００５−２４０５２４号公報
【発明の概要】
【発明が解決しようとする課題】
【０００５】
しかし、上記従来の屋根瓦１００１においては、図３４に示すように、第１舌片状弾性部１０３２の先端部１０３２ａを中央頭部１００９ｃに係止させることから、図２９〜図３１に示すように、中央頭部１００９ｃは、凹状の切欠き１００９ｃ−１を形成して中央頭部１００９ｃの厚みを第１舌片状弾性部１０３２の先端部１０３２ａが係止する厚みにする必要があり、屋根瓦１００１の中央頭部１００９ｃの意匠が通常の屋根瓦と異なり煩雑となり、屋根瓦１００１の頭部側の見栄えが悪いという問題があった。特に、屋根瓦１００１を屋根に施工したものの、連結金具と太陽電池モジュールを取り付けない状態の場合には、中央頭部１００９ｃの見栄えが悪く、特に、屋根瓦を施工した状態では、屋根瓦の頭部側は目立つ箇所であるので、屋根瓦の見栄えを悪くしてしまう。【０００６】
また、中央頭部１００９ｃは、切欠き１００９ｃ−１を形成することにより薄く形成され、該中央頭部１００９ｃに金具が係止されるので中央頭部１００９ｃが損傷する虞がある。また、屋根瓦の頭部側の端部に形成されているので、屋根瓦の製造時や屋根瓦の輸送時や屋根瓦の施工時に、頭部Ａ、特に、中央頭部１００９ｃが損傷するおそれがある。【０００７】
また、上記従来の屋根瓦１００１では、連結金具１０２１の第１舌片状弾性部１０３２の先端部１０３２ａが係止する箇所が頭部となるが、屋根瓦の製造、特に焼成に際して、
屋根瓦の周囲の箇所の方が内側の箇所よりも収縮のバラツキが大きく、頭部の寸法精度を高くすることができず、結果として、中央頭部１００９ｃが第１舌片状弾性部１０３２の先端部１０３２ａと係合した際に、中央頭部１００９ｃが第１舌片状弾性部１０３２と十分に係合しない場合があり、連結金具の取付け位置がずれるおそれがある。つまり、中央頭部１００９ｃが所望の大きさよりも大きい場合や小さい場合には、先端部１０３２ａとの係合が強固でなく、係合箇所がぐらついてしまうという問題がある。【０００８】
また、連結金具１０２１は、その開口１０３１を係止突起１０１０に係止し、第１舌片状弾性部１０３２の先端部１０３２ａが屋根瓦の中央頭部１００９ｃと係合して屋根瓦１００１に取り付ける構成であるので、屋根瓦１００１に取り付けた連結金具１０２１の取付け位置が屋根瓦１００１に対してずれるおそれがある。すなわち、中央頭部１００９ｃの桁方向の長さは、連結金具１０２１の第１舌片状弾性部１０３２の先端部１０３２ａの幅よりも長く形成されており、中央頭部１００９ｃに係合した先端部１０３２ａは、桁方向にずれるおそれがある。すると、先端部１０３２ａが桁方向にずれることにより、連結金具１０２１は桁方向にずれたり、係止突起１０１０を中心にして回転してしまうおそれがある。また、先端部１０３２ａは、中央頭部１００９ｃに頭部側から係合しているので、先端部１０３２ａが中央頭部１００９ｃに係合した状態で、連結金具１０２１の開口１０３１の尻部側と係止突起１０１０の尻部側の端部との間に隙間がある場合には、連結金具１０２１が頭部側にずれてしまうおそれがある。以上のように、屋根瓦１００１に取り付けた連結金具１０２１がずれるおそれがあるので、連結金具１０２１を屋根瓦１００１に取り付けるに際しても、連結金具１０２１の屋根瓦１００１に対する位置決めが困難であるという問題がある。また、連結金具１０２１は、屋根瓦の頭部に係止するので、中央頭部１００９ｃが損傷しやすい。【０００９】
また、屋根瓦１００１と連結金具１０２１は、先端部１０３２ａが屋根瓦１００１の頭部に係合する構成であることから、流れ方向に先端部１０３２ａの位置が屋根瓦の頭部の位置となり、結果として、連結金具１０２１が屋根瓦１００１の頭部から軒先側に突出してしまい、すると、太陽電池モジュールも屋根瓦１００１の頭部から軒先側に突出してしまうので、風に吹き上げられ、特に、最も軒先側の屋根瓦に設置された太陽電池モジュールが風に吹き上げられてしまうので、耐風性に欠けるという問題がある。また、太陽電池モジュールも屋根瓦１００１の頭部から軒先側に突出してしまうので、見栄えもよくないという問題がある。【００１０】
そこで、本発明は、太陽電池モジュールを連結金具を介して固定するための屋根瓦において、取り付けた連結金具がずれることがなく、太陽電池モジュールの耐風性や見栄えを向上させることができ、さらに、屋根瓦の見栄えがよく、頭部が損傷するおそれが小さい太陽電池モジュール設置用屋根瓦を提供し、また、該屋根瓦に取り付ける連結金具において、屋根瓦に取り付けた状態において、その取付け位置が屋根瓦に対してずれることがなく、また、連結金具に取り付けた太陽電池モジュールの耐風性と見栄えを向上させることができ、さらに、屋根瓦の見栄えをよくすることができ、屋根瓦の頭部が損傷するおそれを小さくすることができる太陽電池モジュール設置用連結金具を提供するとともに、太陽電池を屋根面へ取り付けるための太陽電池取付け構造体で、上記屋根瓦と上記連結金具を備えた太陽電池取付け構造体を提供することを目的とする。
【課題を解決するための手段】
【００１１】
本発明は上記問題点を解決するために創作されたものであって、第１には、太陽電池モジュールを連結金具を介して固定するための太陽電池モジュール設置用屋根瓦であって、連結金具を係止するための係止突起で、屋根瓦の頭部側を正面側とした場合に、正面側と背面側と右側面側と左側面側のいずれか一方に切欠部（１６ｆ）を有するフック状を呈し、屋根瓦の上面に設けられた係止突起（１６）と、連結金具を係止するための嵌合凹部で
、屋根瓦の上面における屋根瓦の外周部よりも内側に形成された嵌合凹部（１８ｆ、２０ｆ、１８ｈ、２０ｈ、１８ｉ、２０ｉ）と、を有することを特徴とする。【００１２】
第１の構成においては、嵌合凹部は、屋根瓦の外周部よりも内側に形成されているので、嵌合凹部の形成箇所が焼成による収縮の度合いが小さく、嵌合凹部を精度よく位置決めすることができ、よって、連結金具との係合を強固にすることができ、取り付けた連結金具がずれることがない。また、連結金具が屋根瓦の外周部よりも内側に形成された嵌合凹部に嵌合するので、連結金具が屋根瓦の頭部から軒側の突出する長さを短くすることができ、太陽電池モジュールが屋根瓦の頭部から軒側に突出する長さを短くすることができる。よって、太陽電池モジュールの耐風性と見栄えを向上させることができる。また、屋根瓦の頭部に連結金具の弾性部を係止する構成ではないので、屋根瓦の頭部を連結金具の弾性部に適合した厚みにするために切欠きを形成する必要がなく、屋根瓦の頭部側の見栄えをよくすることができ、結果として、屋根瓦の見栄えをよくすることができ、また、切欠きが形成されないので、屋根瓦の頭部が損傷するおそれがない。【００１３】
なお、上記第１の構成を以下のようにしてもよい。すなわち、「太陽電池モジュールを連結金具を介して固定するための太陽電池モジュール設置用屋根瓦であって、連結金具を係止するための係止突起で、屋根瓦の頭部側を正面側とした場合に、正面側と背面側と右側面側と左側面側のいずれか一方に切欠部（１６ｆ）を有するフック状を呈し、瓦本体の上面に設けられた係止突起（１６）と、連結金具を係止するための嵌合凹部で、瓦本体の上面における前後方向において係止突起の形成位置よりも正面側となる領域及び／又は瓦本体の上面における前後方向において係止突起の形成位置よりも背面側となる領域に形成され、瓦本体の外周部よりも内側に形成された嵌合凹部（１８ｆ、２０ｆ、１８ｈ、２０ｈ、１８ｉ、２０ｉ）と、を有することを特徴とする。」としてもよい。【００１４】
また、第２には、上記第１の構成において、嵌合凹部が、屋根瓦瓦の上面における前後方向において係止突起の形成位置よりも正面側となる領域及び／又は屋根瓦の上面における前後方向において係止突起の形成位置よりも背面側となる領域に形成されていることを特徴とする。【００１５】
また、第３には、上記第１又は第２の構成において、嵌合凹部（１８ｆ、２０ｆ）が、溝状に左右方向に形成されるとともに、係止突起の正面方向の位置及び／又は背面方向の位置に形成され、切欠部が係止突起の正面側又は背面側に形成されていることを特徴とする。これにより、嵌合部が、弾性部本体の先端から弾性部本体に対して屈曲して連設され板状に形成され、前後方向にスライドさせることにより屋根瓦に取り付ける連結金具を取り付けることができる。【００１６】
また、第４には、上記第１又は第２の構成において、嵌合凹部（１８ｈ、２０ｈ）が、穴状を呈するとともに、係止突起の正面方向の位置及び／又は背面方向の位置に形成され、切欠部が係止突起の正面側又は背面側に形成されていることを特徴とする。これにより、嵌合部が、弾性部本体の下方に突出した柱状又は錐状であり、前後方向にスライドさせることにより屋根瓦に取り付けるる連結金具金具を取り付けることができる。【００１７】
また、第５には、上記第１又は第２の構成において、嵌合凹部（１８ｉ、２０ｈ）が、溝状に前後方向に形成され、切欠部が係止突起の右側面側又は左側面側に形成されていることを特徴とする。これにより、嵌合部が、弾性部本体の先端から弾性部本体に対して屈曲して連設され板状に形成され、左右方向にスライドさせることにより屋根瓦に取り付ける連結金具を取り付けることができる。【００１８】
また、第６には、上記第１又は第２の構成において、嵌合凹部が、穴状を呈し、切欠部
が係止突起の右側面側又は左側面側に形成されていることを特徴とする。これにより、嵌合部が、弾性部本体の先端領域から下方に突出した柱状又は錐状であり、前後方向にスライドさせることにより屋根瓦に取り付けるる連結金具金具を取り付けることができる。【００１９】
また、第７には、上記第５又は第６の構成において、嵌合凹部（１８ｉ、２０ｉ）が、屋根瓦の上面における前後方向において係止突起の形成位置よりも正面側となる領域及び屋根瓦の上面における前後方向において係止突起の形成位置よりも背面側となる領域に形成され、該一対の嵌合凹部が、係止突起を中心に略点対称の位置（「係止突起を中心に点対称の位置」としてもよい）に形成されていることを特徴とする。これにより、弾性部が一対設けられ、各弾性部における弾性部本体の基端から先端への方向が一対の弾性部において左右方向に逆方向に形成され、一方の弾性部の嵌合部と他方の弾性部の嵌合部が、係止突起を中心にして略点対称の位置に形成されている連結金具を取り付けることができる。【００２０】
また、第８には、連結金具を係止するための係止突起で、屋根瓦の頭部側を正面側とした場合に、正面側と背面側と右側面側と左側面側のいずれか一方に切欠部を有するフック状を呈し、屋根瓦の上面に設けられた係止突起と、連結金具を係止するための嵌合凹部で、屋根瓦の上面における屋根瓦の外周部よりも内側に形成された嵌合凹部と、を有する屋根瓦に取り付けるとともに、太陽電池モジュールを支持するための太陽電池モジュール設置用連結金具であって、略長方形の外形を有する底板部で、屋根瓦の係止突起を挿通し係止突起の切欠部を係止するための開口部を有する底板部（１１１）と、底板部に設けられた弾性部（１１４、１１６）とを有し、弾性部が、底板部に設けられ弾性を有する弾性部本体（１１４ａ、１１４ｄ、１１４ｆ、１１４ｈ、１１６ａ、１１６ｄ、１１６ｆ、１１６ｈ）と、弾性部本体に設けられ、屋根瓦の嵌合凹部に嵌合する嵌合部（１１４ｂ、１１４ｃ−２、１１４ｅ、１１４ｇ、１１４ｉ、１１６ｂ、１１６ｃ−２、１１６ｅ、１１６ｇ、１１６ｉ）とを有する底面部（１１０）と、底板部の一対の長辺部から立設した長辺側側壁部（１２０、１３０）と、底板部の一対の短辺部から立設した短辺側側壁部で、太陽電池モジュールに係止するための係止部が外側に突出して設けられた短辺側側壁部（１４０、１５０）と、を有し、開口部に係止突起を挿通した状態で、切欠部側にスライドさせることにより、開口部の辺部が係止突起に係止するとともに、嵌合部が嵌合凹部に嵌合することにより、底板部の一方の短辺側を屋根瓦の正面側にして屋根瓦に取り付けられることを特徴とする。【００２１】
第８の構成においては、開口部が係止突起に係止するとともに、嵌合部が嵌合凹部に嵌合する構成であるので、桁方向や流れ方向に連結金具がずれるおそれがなく、連結金具の屋根瓦に対する取付け位置がずれるおそれがない。また、弾性部は、屋根瓦の周囲の端部よりも内側に形成された嵌合凹部に嵌合するので、連結金具が屋根瓦の頭部から軒側の突出する長さを短くすることができるので、太陽電池モジュールが屋根瓦の頭部から軒側に突出する長さを短くすることができる。よって、太陽電池モジュールが風に吹き上げられる程度を小さくできるとともに、太陽電池モジュールの施工状態の見栄えもよくすることができる。つまり、太陽電池モジュールの耐風性と見栄えを向上させることができる。また、屋根瓦の頭部に連結金具の弾性部を係止する構成ではないので、屋根瓦の頭部を連結金具の弾性部に適合した厚みにするために切欠きを形成する必要がなく、屋根瓦の頭部側の見栄えをよくすることができ、結果として、屋根瓦の見栄えをよくすることができ、また、切欠きが形成されないので、屋根瓦の頭部が損傷するおそれがない。【００２２】
なお、上記第８の構成を以下のようにしてもよい。すなわち、「連結金具を係止するための係止突起で、屋根瓦の頭部側を正面側とした場合に、正面側と背面側と右側面側と左側面側のいずれか一方に切欠部（１６ｆ）を有するフック状を呈し、瓦本体の上面に設けられた係止突起（１６）と、連結金具を係止するための嵌合凹部で、瓦本体の上面におけ
る前後方向において係止突起の形成位置よりも正面側となる領域及び／又は瓦本体の上面における前後方向において係止突起の形成位置よりも背面側となる領域に形成され、瓦本体の外周部よりも内側に形成された嵌合凹部（１８ｆ、２０ｆ、１８ｈ、２０ｈ、１８ｉ、２０ｈ）と、を有する屋根瓦に取り付けるとともに、太陽電池モジュールを支持するための太陽電池モジュール設置用連結金具であって、略長方形の外形を有する底面部で、屋根瓦の係止突起を挿通し係止突起の切欠部を係止するための開口部（１１２ａ）と、底面部における一方の短辺側を正面側とした場合に、開口部の正面方向の位置及び／又は開口部の背面方向の位置に形成された弾性部で、底面部を切り欠いて形成した板状の弾性部本体（１１４ａ、１１６ａ）と、弾性部本体の先端部分に設けられ、嵌合凹部に嵌合するための嵌合部（１１４ｂ、１１４ｃ、１１４ｅ、１１６ｂ、１１６ｃ、１１６ｅ）とを備えた弾性部（１１４、１１６）を有する底面部（１１０）と、底面部の右側面側の辺部から立設した第１側壁部（１２０）と、底面部の左側面側の辺部から立設した第２側壁部（１３０）と、底面部の正面側の辺部から立設した第３側壁部で、太陽電池モジュールを係止するための係止部（１４４）が外側に突出して設けられた第３側壁部（１４０）と、
底面部の背面側の辺部から立設した第４側壁部で、太陽電池モジュールを係止するための係止部（１５４）が外側に突出して設けられた第４側壁部（１５０）と、を有し、開口部に係止突起を挿通した状態で、切欠部側にスライドさせることにより、開口部の辺部が係止突起に係止するとともに、嵌合部が嵌合凹部に嵌合することにより、屋根瓦に取り付けられることを特徴とする連結金具。」としてもよい。【００２３】
また、第９には、上記第８の構成において、弾性部が、底面部における一方の短辺側を正面側とした場合に、開口部の正面方向の位置及び／又は開口部の背面方向の位置に形成されていることを特徴とする。【００２４】
また、第１０には、上記第８又は第９の構成において、弾性部本体が、底板部を切り欠いて形成することにより舌片状に形成されていることを特徴とする。【００２５】
また、第１１には、上記第１０の構成において、弾性部本体における基端から先端への方向が、底板部の長手方向であることを特徴とする。これにより、嵌合凹部が、係止突起の正面方向の位置及び／又は背面方向の位置に形成され、切欠部が係止突起の正面側又は背面側に形成されている屋根瓦、つまり、係止突起を開口部に挿入した状態で前後方向にスライドさせて取り付けるタイプの屋根瓦に取り付けることができる。【００２６】
また、第１２には、上記第１０の構成において、弾性部本体における基端から先端への方向が、底板部の短手方向であることを特徴とする。これにより、切欠部が係止突起の右側面側又は左側面側に形成されている屋根瓦、つまり、係止突起を開口部に挿入した状態で左右方向にスライドさせて取り付けるタイプの屋根瓦に取り付けることができる。【００２７】
また、第１３には、上記第１２の構成において、弾性部が一対設けられ、各弾性部における弾性部本体の基端から先端への方向が一対の弾性部において左右方向に逆方向に形成され、一方の弾性部の嵌合部と他方の弾性部の嵌合部が、底板部の開口部を中心に略点対称の位置（「底板部の開口部を中心に点対称の位置」としてもよい）に形成されていることを特徴とする。これにより、嵌合凹部が、瓦の上面における前後方向において係止突起の形成位置よりも正面側となる領域及び瓦の上面における前後方向において係止突起の形成位置よりも背面側となる領域に形成され、該一対の嵌合凹部が、係止突起を中心にして略点対称の位置に形成されている屋根瓦に取り付けることができる。【００２８】
また、第１４には、上記第１０から第１３までのいずれかの構成において、嵌合部が、弾性部本体の先端から弾性部本体に対して下方に屈曲して連設され、板状に形成されていることを特徴とする。これにより、嵌合凹部が溝状に形成された屋根瓦に取り付けること
ができる。【００２９】
また、第１５には、上記第８から第１３までのいずれかの構成において、嵌合部が、柱状又は錐状であることを特徴とする。これにより、嵌合凹部が穴状に形成された屋根瓦に取り付けることができる。【００３０】
また、第１６には、太陽電池を屋根面へ取り付けるための太陽電池取付け構造体であって、屋根瓦と、屋根瓦に取り付けられ、太陽電池モジュールを支持する連結金具と、連結金具に取り付けられる太陽電池モジュールとを有し、屋根瓦は、連結金具を係止するための係止突起で、屋根瓦の頭部側を正面側とした場合に、正面側と背面側と右側面側と左側面側のいずれか一方に切欠部を有するフック状を呈し、屋根瓦の上面に設けられた係止突起と、連結金具の嵌合部が嵌合するための嵌合凹部で、屋根瓦の上面における屋根瓦の外周部よりも内側に形成された嵌合凹部と、を有し、連結金具は、略長方形の外形を有する底板部で、屋根瓦の係止突起を挿通し係止突起の切欠部を係止するための開口部を有する底板部（１１１）と、底板部に設けられた弾性部（１１４、１１６）とを有し、弾性部が、底板部に設けられ弾性を有する弾性部本体（１１４ａ、１１４ｄ、１１４ｆ、１１４ｈ、１１６ａ、１１６ｄ、１１６ｆ、１１６ｈ）と、弾性部本体に設けられ、屋根瓦の嵌合凹部に嵌合する嵌合部（１１４ｂ、１１４ｃ、１１４ｅ、１１４ｇ、１１４ｉ、１１６ｉ）とを有する底面部（１１０）と、底板部の一対の長辺部から立設した長辺側側壁部（１２０、１３０）と、底板部の一対の短辺部から立設した短辺側側壁部で、太陽電池モジュールの爪部に係止するための係止部が外側に突出して設けられた短辺側側壁部（１４０、１５０）と、を有し、開口部に係止突起を挿通した状態で、切欠部側にスライドさせることにより、開口部の辺部が係止突起に係止するとともに、嵌合部が嵌合凹部に嵌合することにより、底板部の一方の短辺側を屋根瓦の正面側にして屋根瓦に取り付けられ、太陽電池モジュールは、略長方形状の板状を呈し、太陽電池を有するモジュール本体（２１２）と、モジュール本体の外周に設けられ一対の長辺部（２２２ａ、２２２ｂ）と一対の短辺部（２２４ａ、２２４ｂ）とで枠状に形成されたフレームで、長辺部及び短辺部に設けられ、モジュール本体を支持する支持部（２３０）と、長辺部に設けられた金具係止部で、連結金具の係止部に係止する爪部を備えた金具係止部（２３４）とを有するフレーム（２２０）と、を有することを特徴とする。【００３１】
この第１６の構成においては、屋根瓦の頭部に連結金具の弾性部を係止する構成ではないので、屋根瓦の頭部を連結金具の弾性部に適合した厚みにするために切欠きを形成する必要がなく、屋根瓦の頭部側の見栄えをよくすることができ、結果として、屋根瓦の見栄えをよくすることができ、また、切欠きが形成されないので、屋根瓦の頭部が損傷するおそれがない。また、嵌合凹部は、瓦の外周部よりも内側に形成されているので、嵌合凹部の形成箇所が焼成による収縮の度合いが小さく、嵌合凹部を精度よく位置決めすることができ、よって、連結金具との係合を強固にすることができ、取り付けた連結金具がずれることがない。【００３２】
また、開口部が係止突起に係止するとともに、嵌合部が嵌合凹部に嵌合する構成であるので、桁方向や流れ方向に連結金具がずれるおそれがなく、連結金具の屋根瓦に対する取付け位置がずれるおそれがない。また、弾性部は、屋根瓦の周囲の端部よりも内側に形成された嵌合凹部に嵌合するので、連結金具が屋根瓦の頭部から軒側の突出する長さを短くすることができるので、太陽電池モジュールが屋根瓦の頭部から軒側に突出する長さを短くすることができる。よって、太陽電池モジュールが風に吹き上げられる程度を小さくできるとともに、太陽電池モジュールの施工状態の見栄えもよくすることができる。つまり、太陽電池モジュールの耐風性と見栄えを向上させることができる。また、屋根瓦の頭部に連結金具の弾性部を係止する構成ではないので、屋根瓦の頭部を連結金具の弾性部に適合した厚みにするために切欠きを形成する必要がなく、屋根瓦の頭部側の見栄えをよくす
ることができ、結果として、屋根瓦の見栄えをよくすることができ、また、切欠きが形成されないので、屋根瓦の頭部が損傷するおそれがない。【００３３】
なお、第１６の構成を以下のようにしてもよい。すなわち、「太陽電池を屋根面へ取り付けるための太陽電池取付け構造体であって、屋根瓦（１、２、３）と、屋根瓦に取り付けられ、太陽電池モジュール（２０１）を支持する連結金具（１０１、１０２、１０３）と、連結金具に取り付けられる太陽電池モジュール（２０１）とを有し、屋根瓦は、連結金具を係止するための係止突起で、屋根瓦の頭部側を正面側とした場合に、正面側と背面側と右側面側と左側面側のいずれか一方に切欠部（１６ｆ）を有するフック状を呈し、瓦本体の上面に設けられた係止突起（１６）と、連結金具を係止するための嵌合凹部で、瓦本体の上面における前後方向において係止突起の形成位置よりも正面側となる領域及び／又は瓦本体の上面における前後方向において係止突起の形成位置よりも背面側となる領域に形成され、瓦本体の周囲の端部よりも内側側に形成された嵌合凹部（１８ｆ、２０ｆ、１８ｈ、２０ｈ、１８ｉ、２０ｈ）と、を有し、連結金具は、略長方形の外形を有する底面部で、屋根瓦の係止突起を挿通し係止突起の切欠部を係止するための開口部（１１２ａ）と、底面部における一方の短辺側を正面側とした場合に、開口部の正面方向の位置及び／又は開口部の背面方向の位置に形成された弾性部で、底面部を切り欠いて形成した板状の弾性部本体（１１４ａ、１１６ａ）と、弾性部本体の先端に設けられ、嵌合凹部に嵌合するための嵌合部（１１４ｂ、１１４ｃ、１１４ｅ、１１６ｂ、１１６ｃ、１１６ｅ）とを備えた弾性部（１１４、１１６）を有する底面部（１１０）と、底面部の右側面側の辺部から立設した第１側壁部（１２０）と、底面部の左側面側の辺部から立設した第２側壁部（１３０）と、底面部の正面側の辺部から立設した第３側壁部で、太陽電池モジュールを係止するための係止部（１４４）が外側に突出して設けられた第３側壁部（１４０）と、底面部の背面側の辺部から立設した第４側壁部で、太陽電池モジュールを係止するための係止部（１５４）が外側に突出して設けられた第４側壁部（１５０）と、を有し、開口部に係止突起を挿通した状態で、切欠部側にスライドさせることにより、開口部の辺部が係止突起に係止するとともに、嵌合部が嵌合凹部に嵌合することにより、屋根瓦に取り付けられ、太陽電池モジュールは、略長方形状の板状を呈し、太陽電池セルを有するモジュール本体（２１２）と、モジュール本体の外周に設けられ一対の長辺部（２２２ａ、２２２ｂ）と一対の短辺部（２２４ａ、２２４ｂ）とで枠状に形成されたフレームで、長辺部及び短辺部に設けられ、モジュール本体を支持する支持部（２３０）と、長辺部に設けられた金具係止部で、連結金具の係止部に係止する爪部を備えた金具係止部（２３４）とを有するフレーム（２２０）と、を有することを特徴とする。」としてもよい。【００３４】
また、第１７には、上記第１６の構成において、連結金具が屋根瓦に取り付けられた状態では、連結金具の正面側の端部と屋根瓦の正面側の端部とは、前後方向において略同一の位置となることを特徴とする。これにより、太陽電池モジュールが屋根瓦の頭部から軒側に突出する長さを極めて短くすることができ、太陽電池モジュールが風に吹き上げられる程度をさらに小さくできるとともに、太陽電池モジュールの施工状態の見栄えもさらによくすることができる。
【発明の効果】
【００３５】
本発明に基づく太陽電池モジュール設置用屋根瓦及び太陽電池取付け構造体によれば、屋根瓦の頭部に連結金具の弾性部を係止する構成ではないので、屋根瓦の頭部を連結金具の弾性部に適合した厚みにするために切欠きを形成する必要がなく、屋根瓦の頭部側の見栄えをよくすることができ、結果として、屋根瓦の見栄えをよくすることができ、また、切欠きが形成されないので、屋根瓦の頭部が損傷するおそれがない。また、嵌合凹部は、瓦の外周部よりも内側に形成されているので、嵌合凹部の形成箇所が焼成による収縮の度合いが小さく、嵌合凹部を精度よく位置決めすることができ、連結金具の弾性部との係合を強固にすることができる。【００３６】
また、本発明に基づく太陽電池モジュール設置用連結金具及び太陽電池取付け構造体によれば、開口部が係止突起に係止するとともに、嵌合部が嵌合凹部に嵌合する構成であるので、桁方向や流れ方向に連結金具がずれるおそれがなく、連結金具の屋根瓦に対する取付け位置がずれるおそれがない。また、弾性部は、屋根瓦の周囲の端部よりも内側に形成された嵌合凹部に嵌合するので、連結金具が屋根瓦の頭部から軒側の突出する長さを短くすることができるので、太陽電池モジュールが屋根瓦の頭部から軒側に突出する長さを短くすることができる。よって、太陽電池モジュールが風に吹き上げられる程度を小さくできるとともに、太陽電池モジュールの施工状態の見栄えもよくすることができる。つまり、太陽電池モジュールの耐風性と見栄えを向上させることができる。また、屋根瓦の頭部に連結金具の弾性部を係止する構成ではないので、屋根瓦の頭部を連結金具の弾性部に適合した厚みにするために切欠きを形成する必要がなく、屋根瓦の頭部側の見栄えをよくすることができ、結果として、屋根瓦の見栄えをよくすることができ、また、切欠きが形成されないので、屋根瓦の頭部が損傷するおそれがない。
【図面の簡単な説明】
【００３７】
【図１】屋根瓦の上方斜視図である（実施例１）。
【図２】屋根瓦の下方斜視図である（実施例１）。
【図３】屋根瓦を示す図であり、（ａ）は平面図であり、（ｂ）は正面図であり、（ｃ）は左側面図であり、（ｄ）は右側面図である（実施例１）。
【図４】図１のＡ−Ａ断面図である。
【図５】連結金具の斜視図である（実施例１）。
【図６】連結金具を示す図であり、（ａ）は平面図であり、（ｂ）は右側面図であり、（ｃ）は底面図であり、（ｄ）は正面図であり、（ｅ）は背面図であり、（ｆ）と（ｇ）は（ｂ）における部分拡大図である（実施例１）。
【図７】太陽電池モジュールの上方斜視図である。
【図８】太陽電池モジュールの下方斜視図である。
【図９】図７のＢ−Ｂ断面図である。
【図１０】屋根瓦を屋根面に施工した状態を示す斜視図である。
【図１１】連結金具の屋根瓦への取付け工程を示す斜視図である。
【図１２】連結金具の屋根瓦への取付け工程を示す断面図である。
【図１３】連結金具を屋根瓦に取り付けた状態を示す斜視図である。
【図１４】連結金具を屋根瓦に取り付けた状態を示す平面図である。
【図１５】屋根面に施工した屋根瓦に連結金具を取り付けた状態を示す斜視図である。
【図１６】太陽電池モジュールの連結金具への取付け工程を示す断面図である。
【図１７】太陽電池モジュールを連結金具に取り付けた状態を示す断面図である。
【図１８】屋根面に太陽電池モジュールを施工した状態を示す斜視図である。
【図１９】屋根瓦の上方斜視図である（実施例２）。
【図２０】連結金具の斜視図である（実施例２）。
【図２１】連結金具を示す図であり、（ａ）は平面図であり、（ｂ）は右側面図であり、（ｃ）は底面図であり、（ｄ）は正面図であり、（ｅ）は背面図である（実施例２）。
【図２２】連結金具を屋根瓦に取り付けた状態を示す斜視図である。
【図２３】実施例２の連結金具の他の例を示す図であり、（ａ）は平面図であり、（ｂ）は右側面図であり、（ｃ）は底面図であり、（ｄ）は正面図であり、（ｅ）は背面図である。
【図２４】実施例２の連結金具の他の例を示す図であり、（ａ）は平面図であり、（ｂ）は右側面図であり、（ｃ）は底面図であり、（ｄ）は正面図であり、（ｅ）は背面図である。
【図２５】屋根瓦の上方斜視図である（実施例３）。
【図２６】連結金具の斜視図である（実施例３）。
【図２７】連結金具を示す図であり、（ａ）は平面図であり、（ｂ）は右側面図であり、（ｃ）は底面図であり、（ｄ）は正面図であり、（ｅ）は背面図である（実施例３）。
【図２８】連結金具を屋根瓦に取り付けた状態を示す斜視図である。
【図２９】従来の屋根瓦の斜視図である。
【図３０】従来の屋根瓦の正面図である。
【図３１】図２９のＤ−Ｄ断面図である。
【図３２】従来の連結金具の斜視図である。
【図３３】従来の連結金具の一部破断側面図である。
【図３４】従来の連結金具を従来の屋根瓦に取り付けた状態を示す一部破断断面図である。
【発明を実施するための形態】
【００３８】
本発明においては、太陽電池モジュールを連結金具を介して固定するための屋根瓦において、屋根瓦の見栄えがよく、頭部が損傷するおそれが小さく、また、連結金具との係合箇所がぐらつかずに連結金具との係合を強固とすることができる太陽電池モジュール設置用屋根瓦を提供し、また、該屋根瓦に取り付ける連結金具において、屋根瓦に取り付けた状態において、その取付け位置が屋根瓦に対してずれることがなく、また、連結金具に取り付けた太陽電池モジュールが屋根瓦の頭部から突出する長さを短くすることができる太陽電池モジュール設置用連結金具を提供するとともに、太陽電池を屋根面へ取り付けるための太陽電池取付け構造体で、上記屋根瓦と連結金具を備えた太陽電池取付け構造体を提供するという目的を以下のようにして実現した。
【実施例１】
【００３９】
本発明に基づく太陽電池を屋根面へ取り付けるための取付け構造体（太陽電池取付け構造体）Ｐ（図１７、図１８参照）は、屋根瓦（太陽電池モジュール設置用屋根瓦）１と、屋根瓦１に取り付けられ、太陽電池モジュール２０１を支持する連結金具（太陽電池モジュール設置用連結金具）１０１と、連結金具１０１に取り付けられる太陽電池モジュール２０１とを有している。【００４０】
屋根瓦１は、図１〜図４に示すように構成されている。すなわち、屋根瓦１は、平面視が略正方形状の陶板から構成され、本体部１０と、本体部１０の左側面側に連設された差込み部３０と、本体部１０の右側面側に連設された桟部４０と、本体部１０の背面側に連設された尻部５０とを有している。複数の屋根瓦１を屋根面に施工した際には、正面側（Ｘ１側）が軒先側となり、尻部５０側（Ｘ２側）が棟側となり、差込み部３０は、右側面側に隣接する屋根瓦１の桟部４０に被覆される。なお、屋根瓦１における係止突起１６と突設部１８、２０以外の構成が、瓦本体９となる。また、屋根瓦１は、全体に一体に形成され、係止突起１６や突設部１８、２０は、瓦本体９と一体に形成されている。屋根瓦１は、粘土を焼成することにより形成されているが、他の材料（例えば、セメント、樹脂（例えば、ＦＲＰ）、金属）により製造されたものでもよい。【００４１】
ここで、本体部１０は、平面視で略正方形状の略板状を呈し、板状部１２と、板状部１２の上面に形成された係止突起１６、突設部１８、２０とを有している。【００４２】
板状部１２は、平面視で略正方形状の板状を呈し、左側面側の端部領域には、傾斜して形成された水返し１２ａを有し、水返し１２ａは、左側面側にいくほど上側となるように傾斜している。【００４３】
また、板状部１２は、正面側の端部に頭部１４を有している。つまり、板状部１２の正
面側の端部領域が頭部１４を構成している。【００４４】
頭部１４は、中央頭部１４−１と、中央頭部１４−１の左側面側に位置する左側頭部１４−２と、中央頭部１４−１の右側面側に位置する右側頭部１４−３とを有している。【００４５】
中央頭部１４−１は、頭部１４の左右方向の略中央に位置し、頭部１４における左側頭部１４−２と右側頭部１４−３の間の領域を構成し、図４に示すように、板状部１２における頭部１４以外の部分である内側構成部１５と略同一の厚みを有している。つまり、中央頭部１４−１は、内側構成部１５における水返し１２ａ以外の領域の厚みと略同一の厚みとなっている。頭部１４の上面は平面状であり、内側構成部１５の上面（内側構成部１５の上面は平面状をなす）と同一平面状となっている。同様に、頭部１４の下面は平面状であり、内側構成部１５の下面（内側構成部１５の下面は平面状をなす）と同一平面状となっている。なお、図４に示すように、中央頭部１４−１の正面側の端部の下端には、従来と異なり切欠きは形成されていない。【００４６】
また、左側頭部１４−２と右側頭部１４−３の厚みは、内側構成部１５の厚み（内側構成部１５における傾斜面１２ａ以外の領域の厚み）と略同一であるが、正面側に向けて下方に湾曲した形状を呈している。従って、中央頭部１４−１と左側頭部１４−２間の領域は、左側面側に向けて下方に緩やかに湾曲し、中央頭部１４−１と右側頭部１４−３間の領域は、右側面側に向けて下方に緩やかに湾曲している。【００４７】
また、係止突起１６は、屋根瓦１の上面、具体的には、板状部１２の上面の略中央に設けられ、背面側に切欠部１６ｆを有するフック状を呈している。すなわち、係止突起１６は、内側構成部１５の上面に対して鉛直方向に形成されるとともに前後方向に形成された右側面部１６ａ及び左側面部１６ｂと、右側面部１６ａと左側面部１６ｂの正面側の端部から連設され、正面側に向けて下方に傾斜する正面部１６ｃと、右側面部１６ａと左側面部１６ｂの背面側の端部から連設され、内側構成部１５の上面に対して鉛直方向に形成されるとともに左右方向に形成された背面部１６ｄと、右側面部１６ａと左側面部１６ｂと正面部１６ｃと背面部１６ｄの上辺から連設され、内側構成部１５の上面に対して略平行に形成された上面部１６ｅとを有し、その背面側には、切欠部１６ｆが形成されている。切欠部１６ｆは、係止突起１６の背面部から正面側に向けて前後方向に形成され、左右方向には、右側面部１６ａ側の端部から左側面部１６ｂの端部にまで形成されている。内側構成部１５の上面は、切欠部１６ｆの奥部（正面側の端部）にまで形成されている。なお、係止突起１６は、内側構成部１５の上面に突出して形成された基端部１６−１と、基端部１６−１の背面側の面の上部から背面側に突出して形成された突出部１６−２とを有する構成ともいえる。以上のようにして、係止突起１６は、背面側が開口した構成となっている。【００４８】
また、突設部１８は、板状部１２の上面における係止突起１６の正面方向（正面側としてもよい）の位置に係止突起１６と間隔を介して形成され、屋根瓦１、具体的には、瓦本体９の外周部（外周の端部）よりも内側に形成され（つまり、該外周部とは間隔を介して形成されている）、特に、頭部側の端部とは間隔を介して形成されている。【００４９】
突設部１８は、方形状の上面部１８ａと、上面部１８ａの各辺から下方に傾斜して形成された右側面部１８ｂ、左側面部１８ｃ、正面部１８ｄ及び背面部１８ｅを有し、突設部１８は、全体に四角錐状の外形を有している。この突設部１８は、内側構成部１５の上面に形成されているが、突設部１８の一部が頭部１４の上面に形成されている構成としてもよい。【００５０】
また、上面部１８ａには、左右方向に形成された溝部（嵌合凹部）１８ｆが形成されて
いる。溝部１８ｆは、溝状を呈し、上面部１８ａの左右方向及び前後方向の略中央に形成され、特に、左右方向には上面部１８ａの中央（すなわち、左右方向に均等の位置）に形成され、溝部１８ｆの左端と上面部１８ａの左端間の長さと溝部１８ｆの右端と上面部１８ａの右端間の長さは同一に形成されている。つまり、溝部１８ｆは、係止突起１６の正面方向の位置に形成されている。溝部１８ｆの長さは、弾性部１１４の先端部１１４ｂの幅（左右方向の幅）と同一又は先端部１１４ｂの幅（左右方向の幅）よりも若干長く形成されるとともに、溝部１８ｆの幅は先端部１１４ｂが嵌合する幅（少なくとも先端部１１４ｂの厚み以上の幅）に形成され、これにより、溝部１８ｆに嵌合した弾性部１１４が桁方向（図１０、図１５、図１８に示すＵ１−Ｕ２方向）や流れ方向（軒側と棟側の間の方向、図１０〜図１７に示すＲ１−Ｒ２方向）にずれないようになっている。溝部１８ｆは、溝部の深さ方向には鉛直方向に形成されている。この溝部１８ｆには連結金具１０１の先端部１１４ｂが嵌合される。突設部１８が屋根瓦１（瓦本体９としてもよい）の上面における屋根瓦１（瓦本体９としてもよい）の外周部よりも内側に形成されているので、溝部１８ｆも屋根瓦１（瓦本体９としてもよい）の上面における瓦１（瓦本体９としてもよい）の外周部よりも内側に形成されている。また、上面部１８ａから正面部１８ｄにかけて、溝部１８ｇが前後方向に形成され、この溝部１８ｇは、溝部１８ｆに連設して形成され、溝部１８ｆから正面側に向けて形成されている。この溝部１８ｇにより溝部１８ｆに入った雨水は溝部１８ｆ内に溜まることがなく排水される。【００５１】
なお、係止突起１６の左右方向の中心は、突設部１８の左右方向の中心（特に、溝部１８ｆの左右方向の中心）とは左右方向に一致している。【００５２】
また、突設部２０は、内側構成部１５の上面における係止突起１６の背面方向（背面側としてもよい）の位置に係止突起１６と間隔を介して形成され、突設部１８と同一の構成を有している。なお、この突設部２０は、屋根瓦１、具体的には、瓦本体９の外周部（外周の端部）よりも内側に形成され、該外周部とは間隔を介して形成されている。【００５３】
すなわち、突設部２０は、方形状の上面部２０ａと、上面部２０ａの各辺から下方に傾斜して形成された右側面部２０ｂ、左側面部２０ｃ、正面部２０ｄ及び背面部２０ｅを有し、突設部２０は、全体に四角錐状の外形を有している。【００５４】
また、上面部２０ａには、左右方向に形成された溝部（嵌合凹部）２０ｆが形成されている。溝部２０ｆは、溝状を呈し、上面部２０ａの左右方向及び前後方向の略中央に形成され、特に、左右方向には上面部２０ａの中央（すなわち、左右方向に均等の位置）に形成され、溝部２０ｆの左端と上面部２０ａの左端間の長さと溝部２０ｆの右端と上面部２０ａの右端間の長さは同一に形成されている。つまり、溝部２０ｆは、係止突起１６の背面方向の位置に形成されている。溝部２０ｆの長さは、弾性部１１６の先端部１１６ｂの幅（左右方向の幅）と同一又は先端部１１６ｂの幅（左右方向の幅）よりも若干長く形成されるとともに、溝部２０ｆの幅は先端部１１６ｂが嵌合する幅（少なくとも先端部１１６ｂの厚み以上の幅）に形成され、これにより、溝部２０ｆに嵌合した弾性部１１６が桁方向や流れ方向にずれないようになっている。溝部２０ｆは、溝部の深さ方向には鉛直方向に形成されている。この溝部２０ｆには連結金具１０１の先端部１１６ｂが嵌合される。突設部２０が屋根瓦１（瓦本体９としてもよい）の上面における屋根瓦１（瓦本体９としてもよい）の外周部よりも内側に形成されているので、溝部２０ｆも屋根瓦１（瓦本体９としてもよい）の上面における屋根瓦１（瓦本体９としてもよい）の外周部よりも内側に形成されている。また、上面部２０ａから正面部２０ｄにかけて、溝部２０ｇが前後方向に形成され、この溝部２０ｇは、溝部２０ｆに連設して形成され、溝部２０ｆから正面側に向けて形成されている。この溝部２０ｇにより溝部２０ｆに入った雨水は溝部２０ｆ内に溜まることがなく排水される。【００５５】
なお、係止突起１６の左右方向の中心は、突設部２０の左右方向の中心（特に、溝部２０ｆの左右方向の中心）とは左右方向に一致している。また、突設部２０の左右方向の位置は、突設部１８の左右方向の位置と一致している。【００５６】
溝部１８ｆと溝部２０ｆの前後方向の形成位置は、連結金具１０１の開口部１１２ａに係止突起１６を挿通した後、連結金具１０１を正面側にスライドさせた際に、連結金具１０１の先端部１１４ｂが溝部１８ｆに嵌合し、先端部１１６ｂが溝部２０ｆに嵌合する位置に形成されている。なお、先端部１１４ｂが溝部１８ｆに嵌合し、先端部１１６ｂが溝部２０ｆに嵌合した状態では、連結金具１０１の開口部１１２ａの背面側の縁部１１３が係止突起１６の切欠部１６ｆの奥部（正面側の端部）に接するようにするのが好ましい。【００５７】
なお、溝部１８ｆは、少なくとも、瓦本体９（本体部１０としてもよい）の上面における前後方向において係止突起１６の形成位置よりも正面側となる領域（つまり、本体部１０の右側面側の端部から左側面側の端部までの範囲で、係止突起１６よりも正面側となる領域）に形成され、溝部２０ｆは、少なくとも、瓦本体９（本体部１０としてもよい）の上面における前後方向において係止突起１６の形成位置よりも背面側となる領域（つまり、本体部１０の右側面側の端部から左側面側の端部までの範囲で、係止突起１６よりも背面側となる領域）に形成されているといえる。【００５８】
また、差込み部３０は、前後方向に細長の略長方形状の略板状を呈し、板状の本体部３２の上面に水返し３４と被係止部３６を形成した構成となっている。すなわち、水返し３４は、本体部３２の左側面側の辺部における被係止部３６の形成位置を除いた辺部と、背面側の辺部とに沿って上方に突出して形成されている。また、被係止部３６は、水返し３４の正面側の端部から連設して形成され、平面視で略逆コ字状に形成され、被係止部３６は、屋根面に施工された際に、他の屋根瓦１の係止突起５８と係合する。つまり、被係止部３６の左側面側には、係止突起５８の先端が配置される凹部３８が形成され、被係止部３６は、該凹部３８を形成するために回り込むように屈曲して形成されている。【００５９】
このように、屋根瓦１を屋根面に施工した際に、係止突起５８が被係止部３６と係合することにより、屋根瓦１が風により吹き飛ばされることを防止することができる。つまり、屋根瓦１を屋根面に施工する際に、釘孔６０ａ、６０ｂを介して、野地板３００の上面に流れ方向（図１０〜図１７に示すＲ１−Ｒ２方向）に所定間隔を介して設けられるとともに桁方向に設けられた桟木３１０に釘を打ち込むのみならず、係止突起５８を被係止部３６と係合させることにより、屋根瓦１が風により吹き飛ばされることを防止することができる。【００６０】
また、桟部４０は、板状部１２の右側面側の端部から連設され、右側面側に向けて上方に傾斜して形成された傾斜部４２と、傾斜部４２の右側面側の端部から連設された本体部４４を有している。本体部４４は、正面側の領域と水返し４６を形成した領域を除き、平板状をなし、本体部４４の正面側の領域は、正面側に向けて下方に湾曲した形状を呈し、水返し４６は、略コ字状に形成されている。【００６１】
また、尻部５０は、板状部１２の背面側の端部と、差込み部３０の背面側の部分と、桟部４０の背面側の部分とから連設され、背面側に向けて上方に傾斜して形成された傾斜部５２と、傾斜部５２の背面側の端部から連設された本体部５４と、本体部５４の上面から上方に突出して形成された係止突起５８とを有している。本体部５４は、両側に形成された下方突出部５６ａ、５６ｂの領域を除き、平板状をなし、下方突出部５６ａ、５６ｂは、下方に向けて尖った形状となっている。本体部５４の上面の両側には、釘孔６０ａ、６０ｂが形成されている。この釘孔６０ａ、６０ｂを介して、野地板３００又はその上に流れ方向に所定間隔を介して設けられた桟木３１０に釘を打ち込むことにより屋根瓦１が屋
根に固定される。【００６２】
また、係止突起５８は、右側面側に切欠部５８ａを有するフック状を呈している。つまり、係止突起５８は、本体部５４の上面に突出して形成された基端部５８−１と、基端部５８−１の右側面側の面の上部から右側面側に突出して形成された突出部５８−２とを有している。以上のようにして、係止突起５８は、右側面側が開口した構成となっている。【００６３】
なお、屋根瓦１を屋根に施工された際には、差込み部３０は、右側面側に隣接する屋根瓦１の桟部４０に被覆され、桟部４０の背面側の端部と尻部５０とは、背面側に隣接して施工された他の屋根瓦１に被覆されるので、本体部１０の上面の領域と桟部４０の上面の背面側の端部を除く領域とが雨曝し部６０を構成する。【００６４】
なお、屋根瓦１は上記の構成であるとして説明したが、上記の構成に対して左右対称の構成としてもよい。【００６５】
次に、連結金具１０１は、図５、図６に示すように構成され、弾性を有する１枚の板状の鋼材（例えば、ステンレス製のバネ鋼材）により形成されている。つまり、連結金具１０１は、１枚の板状の鋼材を所定形状に形成し、折曲げ等の加工を行なうことにより形成したものである。【００６６】
すなわち、連結金具１０１は、底面部１１０と、底面部１１０の右側面側の辺部から立設する側壁部（長辺側側壁部、第１側壁部）１２０と、底面部１１０の左側面側の辺部から立設する側壁部（長辺側側壁部、第２側壁部）１３０と、底面部１１０の正面側の辺部から立設する側壁部（短辺側側壁部、第３側壁部）１４０と、底面部１１０の背面側の辺部から立設する側壁部（短辺側側壁部、第４側壁部）１５０とを有している。【００６７】
ここで、底面部１１０は、長方形状（略長方形状としてもよい）の外形を有する底板部１１１と、底板部１１１における開口部１１２ｂの辺部から正面側に向けて連設された弾性部１１４と、底板部１１１における開口部１１２ｃの辺部から背面側に向けて連設された弾性部１１６とを有している。【００６８】
ここで、底板部１１１は、底板部１１１の略中央に設けられた方形状の開口部１１２ａと、開口部１１２ａの正面側に開口部１１２ａと間隔を介して設けられた略台形形状の開口部１１２ｂと、開口部１１２ａの背面側に開口部１１２ａと間隔を介して設けられた略台形形状の開口部１１２ｃとを有している。【００６９】
弾性部１１４（舌片状弾性部１１４としてもよい）は、開口部１１２ｂにおける背面側の辺部から連設された弾性部本体１１４ａと、弾性部本体１１４ａの先端から連設された先端部（嵌合部）１１４ｂとを有している。弾性部１１４は、開口部１１２ａの正面方向の位置に設けられている。【００７０】
弾性部本体１１４ａは、略台形形状（舌片状）の板状を呈し、先端にいくほど幅狭に形成され、底板部１１１に対して下方に折曲して形成されている。つまり、弾性部本体１１４ａは、側面視において、底板部１１１に対して鋭角である角度α１をなしている。弾性部本体１１４ａは、板状の鋼材（弾性を有する部材）で形成されているので、弾性を有している。弾性部本体１１４ａにおける基端から先端への方向は、底板部１１１の長手方向となっている。【００７１】
また、先端部１１４ｂは、長方形状の板状を呈し、弾性部本体１１４ａの先端から下方に突出して形成され、弾性部本体１１４ａに対して直角（略直角としてもよい）をなして
いる。つまり、先端部１１４ｂは、弾性部本体１１４ａに対して屈曲して形成されている。先端部１１４ｂは、左右方向に形成されている。以上のように、弾性部１１４は、板状部材を折曲げ形成してなり、側面視（特に、右側面視）において、略Ｌ字状を呈している。先端部１１４ｂは、溝部１８ｆに嵌合する大きさに形成され、先端部１１４ｂの左右方向の長さは、溝部１８ｆの長さと同一又は溝部１８ｆの長さよりも若干短く形成されるとともに、先端部１１４ｂの厚みは、溝部１８ｆに嵌合する厚み（少なくとも溝部１８ｆの幅以下の厚み）に形成されている。【００７２】
また、弾性部１１６（舌片状弾性部１１６としてもよい）は、開口部１１２ｃにおける正面側の辺部から連設され、弾性部１１４と対称（前後対称）に形成されている。すなわち、弾性部１１６は、開口部１１２ｃにおける正面側の辺部から連設された弾性部本体１１６ａと、弾性部本体１１６ａの先端から連設された先端部（嵌合部）１１６ｂとを有している。弾性部１１６は、開口部１１２ａの背面方向の位置に設けられている。【００７３】
弾性部本体１１６ａは、略台形形状（舌片状）の板状を呈し、先端にいくほど幅狭に形成され、底板部１１１に対して下方に折曲して形成されている。つまり、弾性部本体１１６ａは、側面視において、底板部１１１に対して鋭角である角度α２をなしている。弾性部本体１１６ａは、板状の鋼材（弾性を有する部材）で形成されているので、弾性を有している。弾性部本体１１６ａにおける基端から先端への方向は、底板部１１１の長手方向となっている。【００７４】
また、先端部１１６ｂは、長方形状の板状を呈し、弾性部本体１１６ａの先端から下方に突出して形成され、弾性部本体１１６ａに対して直角（略直角としてもよい）をなしている。つまり、先端部１１６ｂは、弾性部本体１１６ａに対して屈曲して形成されている。先端部１１６ｂは、左右方向に形成されている。先端部１１６ｂは、溝部２０ｆに嵌合する大きさに形成され、先端部１１６ｂの左右方向の長さは、溝部２０ｆの長さと同一又は溝部２０ｆの長さよりも若干短く形成されるとともに、先端部１１６ｂの厚みは、溝部２０ｆに嵌合する厚み（少なくとも溝部２０ｆの幅以下の厚み）に形成されている。以上のように、弾性部１１６は、板状部材を折曲げ形成してなり、側面視（特に、右側面視）において、略逆Ｌ字状を呈している。【００７５】
この底面部１１０は、長方形状の板状部材に対して、開口部１１２ａを形成するとともに、開口部１１２ａの正面側と背面側に略コ字状の開口部を形成して、該略コ字状の開口部の内側の領域を弾性部１１４、１１６として折り曲げることにより形成される。つまり、弾性部１１４、１１６は、底面部１１０を切り欠いて形成されている。【００７６】
また、側壁部１２０は、底面部１１０の右側面側の辺部から立設して形成された側板部１２１と、側板部１２１における切欠部を構成する辺部１２１ｆに沿って連設され、該辺部から外側（右側面側）に突出して形成された帯板部１２２と、帯板部１２２の正面側の辺部から連設され、正面側に向けて下方に傾斜した傾斜板部１２４と、側板部１２１の上辺（正面側の上辺）から連設され、外側（右側面側）に突出して形成された受け板部１２６と、側板部１２１の上辺（背面側の上辺）から連設され、外側（右側面側）に突出して形成された受け板部１２８とを有している。【００７７】
ここで、側板部１２１は、長方形状の板状部材に対して上側に切欠部１２１Ｋを形成した形状を呈し、該切欠部１２１Ｋは、側板部１２１の上辺の正面側から縦方向（底板部１１１の上面（水平面）に対して直角方向）に形成された辺部１２１ａと、該辺部１２１ａの下端から背面側に横方向（底板部１１１の上面に対して平行な方向）に形成された辺部１２１ｂと、該辺部１２１ｂの背面側の端部から下方に縦方向に形成された辺部１２１ｃと、該辺部１２１ｃの下端から背面側に横方向に形成された辺部１２１ｄと、該辺部１２
１ｄの背面側の端部から上方に縦方向に形成された辺部１２１ｅと、該辺部１２１ｅの上端から背面側に横方向に形成された辺部１２１ｆと、該辺部１２１ｆの背面側の端部から背面側に向けて上方に傾斜する辺部１２１ｇとから形成されている。これにより、側板部１２１の上端においては、正面側に、辺部１２１ａと辺部１２１ｂにより凹部１２１−１が形成され、さらに、辺部１２１ｃと辺部１２１ｄと辺部１２１ｅにより該凹部１２１−１よりも下方に突出した凹部１２１−２が形成されている。【００７８】
側板部１２１の正面側の端部の上下方向（底板部１１１の上面に対する鉛直方向）の長さｈ１（図６（ｂ）参照）は、側板部１２１の背面側の端部の上下方向の長さｈ２（図６（ｂ）参照）よりも短く形成され、側板部１２１における受け板部１２６が連設された上辺と受け板部１２８が連設された上辺は前後方向に傾斜して形成され、受け板部１２６、１２８は、底板部１１１の上面に対して正面側が下方となるように傾斜して形成されている。なお、受け板部１２６と受け板部１２８とは同一平面上に形成されている。この受け板部１２６、１２８は、連結金具１０１に太陽電池モジュール２０１を取り付けた際には、支持部本体２３１の下面に接する。【００７９】
この側壁部１２０は、底面部１１０の右側面側から延設された金属板を曲げ加工することにより形成される。【００８０】
また、側壁部１３０は、底面部１１０の左側面側の辺部から立設して形成された側板部１３１と、側板部１３１における切欠部を構成する辺部（側板部１２１の辺部１２１ｆに対応する辺部）に沿って連設され、該辺部から外側（左側面側）に突出して形成された帯板部１３２と、帯板部１３２の正面側の辺部から連設され、正面側に向けて下方に傾斜した傾斜板部１３４と、側板部１３１の上辺（正面側の上辺）から連設され、外側（左側面側）に突出して形成された受け板部１３６と、側板部１３１の上辺（背面側の上辺）から連設され、外側（左側面側）に突出して形成された受け板部１３８とを有している。なお、側壁部１３０は、側壁部１２０と左右対称に形成されている。【００８１】
なお、側板部１３１の上側には、切欠部１３１Ｋが形成されているが、この切欠部１３１Ｋの構成は、切欠部１２１Ｋと同様であるので、詳しい説明を省略する。【００８２】
この側壁部１３０は、底面部１１０の左側面側から延設された金属板を曲げ加工することにより形成される。【００８３】
また、側壁部１４０は、底板部１１１の正面側の辺部から立設して形成された側板部１４２と、側板部１４２から外側（正面側）に突出して形成された係止部（係止爪としてもよい）１４４とを有している。【００８４】
ここで、側板部１４２は、底板部１１１の正面側の辺部から立設した本体板部１４２ａと、本体板部１４２ａの上端から連設された中間板部１４２ｂと、中間板部１４２ｂの上端から連設された先端板部１４２ｃとを有し、長方形状の金属板を曲げ加工することにより形成されている。ここで、本体板部１４２ａは、図６（ｂ）に示すように、底板部１１１の上面（水平面）に対する直角方向に対して外側（正面側）に傾斜して形成され（つまり、上方にいくほど正面側にいくように傾斜している）、中間板部１４２ｂは、本体板部１４２ａに対してさらに外側に傾斜して形成されている。つまり、図６において、角度β１は、直角よりも小さく、角度β２は、角度β１よりも小さく形成されている。【００８５】
また、先端板部１４２ｃは、中間板部１４２ｂに対して内側に傾斜して形成され、この先端板部１４２ｃは、底板部１１１に対する直角方向に対して内側（背面側）に傾斜して形成されている。この先端板部１４２ｃは、太陽電池モジュール２０１を連結金具１０１
に取り付ける際に爪部２３４ｂのガイド部として機能する。先端板部１４２ｃの上端は、太陽電池モジュール２０１を連結金具１０１に取り付けた際に側壁部１４０が太陽電池モジュール２０１に接しないように、受け板部１２６の上面よりも下方に位置している。【００８６】
また、係止部１４４は、中間板部１４２ｂにおける中央領域を外側に押出し加工して形成され、係止部１４４の下側が開口することにより外側に膨出して形成されている。係止部１４４は、正面視では、図６（ｄ）に示すように、略台形形状を呈し、その下端部１４４ａ以外は、中間板部１４２ｂと接続され、下端部１４４ａについては、その両側の端部のみが中間板部１４２ｂと接続され、底面視では、図６（ｃ）に示すように、下端部１４４ａは、直線状の両側が側壁部１４０側に湾曲した形状を呈している。【００８７】
また、側壁部１５０は、側壁部１４０と略前後対称に形成されているが、側板部１５２の本体板部１５２ａの上下方向の長さが側板部１４２の本体板部１４２ａの上下方向の長さよりも長く形成されている点が異なる。これは、屋根面に屋根瓦１を施工すると、屋根瓦１の上面の傾斜角度が野地板３００の上面の傾斜角度に対して、軒側が持ち上がった状態となり、屋根瓦１の上面の傾斜角度が野地板３００の傾斜角度よりも小さくなり、側壁部１４０と側壁部１５０の上下方向の長さを同一とすると、連結金具１０１に取り付けられた太陽電池モジュール２０１の傾斜角度も野自他３００の傾斜角度よりも小さくなるので、それを是正するために、側壁部１４０と側壁部１５０で本体板部の上下方向の長さを異ならせている。【００８８】
すなわち、側壁部１５０は、底板部１１１の背面側の辺部から立設して形成された側板部１５２と、側板部１５２から外側（背面側）に突出して形成された係止部（係止爪としてもよい）１５４とを有している。【００８９】
ここで、側板部１５２は、底板部１１１の背面側の辺部から立設した本体板部１５２ａと、本体板部１５２ａの上端から連設された中間板部１５２ｂと、中間板部１５２ｂの上端から連設された先端板部１５２ｃとを有し、長方形状の金属板を曲げ加工することにより形成されている。ここで、本体板部１５２ａは、図６（ｂ）に示すように、底板部１１１の上面（水平面）に対する直角方向に対して外側（背面側）に傾斜して形成され（つまり、上方にいくほど背面側にいくように傾斜している）、中間板部１５２ｂは、本体板部１５２ａに対してさらに外側に傾斜して形成されている。つまり、図６において、角度β１１は、直角よりも小さく、角度β１２は、角度β１１よりも小さく形成されている。【００９０】
また、先端板部１５２ｃは、中間板部１５２ｂに対して内側に傾斜して形成され、この先端板部１５２ｃは、底板部１１１に対する直角方向に対して内側（正面側）に傾斜して形成されている。先端板部１５２ｃの上端は、太陽電池モジュール２０１を連結金具１０１に取り付けた際に側壁部１５０が太陽電池モジュール２０１に接しないように、受け板部１２８の上面よりも下方に位置している。【００９１】
また、係止部１５４は、中間板部１５２ｂにおける中央領域を外側に押出し加工して形成され、係止部１５４の下端が開口することにより外側に膨出して形成されている。係止部１５４は、係止部１４４と前後対称に形成され、背面視では、図６（ｅ）に示すように、略台形形状を呈し、その下端部１５４ａ以外は、中間板部１５２ｂと接続され、下端部１５４ａについては、その両側の端部のみが中間板部１５２ｂと接続され、底面視では、図６（ｃ）に示すように、下端部１５４ａは、直線状の両側が側壁部１５０側に湾曲した形状を呈している。【００９２】
太陽電池モジュール２０１を連結金具１０１に取り付けた際には、太陽電池モジュール２０１の金具係止部２３４が、係止部１４４、１５４に係止する。【００９３】
次に、太陽電池モジュール２０１は、図７〜図９に示すように形成され、長方形状（略長方形状としてもよい）の板状を呈するモジュール本体２１２と、モジュール本体２１２の裏面に設けられたケース状の接続部（「端子箱」としてもよい）２１４と、接続部２１４に接続された一対の配線コード（「ケーブル」としてもよい）２１６と、モジュール本体２１２を支持するフレーム２２０を有している。モジュール本体２１２と接続部２１４と配線コード２１６とで、主構成部２１０を構成する。【００９４】
モジュール本体２１２は、複数の太陽電池セル（太陽電池）を有するものであり、具体的には、樹脂製で板状のバックシートと、バックシートの上面に設けられ、ＥＶＡ樹脂により形成された第１樹脂層と、第１樹脂層の上面に設けられた太陽電池セルと、太陽電池セルの上面に設けられ、ＥＶＡ樹脂により形成された第２樹脂層と、第２樹脂層の上面に形成されたガラス層とを有した構成となっている。配線コード２１６の先端には、コネクタ２１６ａが設けられている。なお、モジュール本体２１２は、結晶シリコンモジュールの例であるが、モジュール本体２１２は、太陽電池を備えた構成であればよく、例えば、薄膜系の太陽電池を備えたものでもよい。すなわち、モジュール本体２１２は、略長方形状の板状を呈し、太陽電池を備えたものであればよい。【００９５】
また、フレーム２２０は、四角枠状（具体的には、長方形状の枠状）を呈し、一対の長辺部２２２ａ、２２２ｂと、一対の短辺部２２４ａ、２２４ｂとを有し、長辺部２２２ａの両側の端部で、短辺部２２４ａ、２２４ｂの一方の端部が接続し、長辺部２２２ｂの両側の端部で、短辺部２２４ａ、２２４ｂの他方の端部が接続している。一対の長辺部２２２ａと長辺部２２２ｂとは互いに平行に設けられ、短辺部２２４ａと短辺部２２４ｂとは互いに平行に設けられている。フレーム２２０は、金属により形成されている。【００９６】
フレーム２２０を構成する長辺部２２２ａ、２２２ｂと短辺部２２４ａ、２２４ｂとは長さが異なる以外は同一の構成であるので、長辺部２２２ａを例にとって説明する。【００９７】
すなわち、長辺部２２２ａは、支持部２３０と、支持部２３０の支持部本体２３１の下面の外側の端部近傍から下方に突出して形成された金具係止部２３４とを有している。【００９８】
ここで、支持部２３０は、モジュール本体２１２を支持するものであり、略帯板状の支持部本体２３１と、支持部本体２３１の外側の端部から上方に突出して形成された断面略鉤状（断面略Ｌ字状としてもよい）の係止部２３２と、支持部本体２３１の外側の端部側部分の下端及び金具係止部２３４の外側の面から突出した突出部２３３とを有している。【００９９】
係止部２３２は、支持部本体２３１の端部から支持部本体２３１に対して直角に立設した板状の側面部（側板部としてもよい）２３２ａと、側面部２３２ａの上端から内側に形成され、支持部本体２３１と平行に形成された板状の上面部（上板部としてもよい）２３２ｂとを有し、側面部２３２ａと上面部２３２ｂはともに帯状に形成されている。つまり、支持部２３０は、係止部２３２と支持部本体２３１とにより断面略コ字状に形成されている。モジュール本体２１２の端部は、支持部２３０の該断面略コ字状部分に支持される。なお、支持部本体２３１とモジュール本体２１２間には、防水及び接着用の樹脂層２４０が設けられている。【０１００】
また、突出部２３３は、支持部本体２３１の外側の端部側部分の下端及び金具係止部２３４の外側の面から突出して形成されている。すなわち、突出部２３３は、第１突出部２３３ａと、第２突出部２３３ｂとを有している。【０１０１】
第１突出部２３３ａは、係止部２３２の側面部２３２ａの下端から下方に連設され、側面部２３２ａとともに帯板状を呈しており、突出部２３３の下端は、金具係止部２３４の
下端よりも上方に位置している。また、第２突出部２３３ｂは、金具係止部２３４の板状部２３４ａ−１の外側の面から外側に突出している。突出部２３３において、第１突出部２３３ａと第２突出部２３３ｂ間には、溝部２３３ｃが形成されている。【０１０２】
また、金具係止部２３４は、支持部２３０（具体的には、支持部本体２３１）の下面の外側の端部領域から下方に突出して形成され、断面略コ字状（厳密には、略コ字状を９０度回転した断面形状）の係止部本体２３４ａと、係止部本体２３４ａの内側の面の下端から内側に突出した爪部２３４ｂとを有している。【０１０３】
係止部本体２３４ａは、支持部本体２３１に対して直角で互いに平行な一対の板状部２３４ａ−１、２３４ａ−２と、該一対の板状部の下端の間に設けられ、支持部本体２３１に対して平行な板状部２３４ａ−３とにより形成され、支持部本体２３１における互いに平行な一対の板状部２３４ａ−１、２３４ａ−２が連設された部分とともに、全体に略四角筒状に形成される。【０１０４】
また、爪部２３４ｂは、係止部本体２３４ａの内側の面から形成された第１面部２３４ｂ−１と、該第１面部２３４ｂ−１の端部から連設され、係止部本体２３４ａの内側の面と略平行な第２面部２３４ｂ−２と、第２面部２３４ｂ−２の第１面部２３４ｂ−１側とは反対側の端部から連設され、係止部本体２３４ａと連設された第３面部２３４ｂ−３とを有した構成となっている。【０１０５】
なお、一対の長辺部２２２ａ、２２２ｂにおいて、金具係止部２３４の係止部本体２３４ａの内側の面の間の長さＬ１（図９参照）は、連結金具１０１における前後方向（長手方向）の最大長さ（正面側の端部と背面側の端部間の長さ）Ｌ１１（図６参照）よりも長く形成され、これにより、一対の長辺部２２２ａ、２２２ｂ間に連結金具１０１を配置でき、また、金具係止部２３４の爪部２３４ｂの内側の端部間の間の長さＬ２（図９参照）は、連結金具１０１における係止部１４４の正面側の端部と係止部１５４の背面側の端部間の長さ（連結金具１０１における前後方向の最大長さＬ１１と略同一である）よりも短く形成されていて、これにより、長辺部２２２ａの爪部２３４ｂを係止部１４４に係止させるとともに、長辺部２２２ｂの爪部２３４ｂを係止部１５４に係止させることができる。【０１０６】
長辺部２２２ａと長辺部２２２ｂとは前後対称である以外は同一の構成であり、短辺部２２４ａと短辺部２２４ｂとは左右対称である以外は同一の構成である。【０１０７】
上記構成の取付け構造体Ｐの施工方法について、図１０〜図１８を使用して説明する。まず、屋根瓦１を屋根面に施工していく。ここで、屋根面には、下地材である野地板３００の上面に複数の桟木３１０が固定されている。つまり、桟木３１０は、桁方向（Ｕ１−Ｕ２方向）に設けられ、流れ方向（Ｒ１−Ｒ２方向）に間隔を介して設けられている。なお、桟木３１０の構成を省略して、野地板３００に直接屋根瓦１を施工してもよい。【０１０８】
屋根瓦１の釘孔６０ａ、６０ｂに釘を挿通して、桟木３１０ａに打ち付けて任意の屋根瓦１ａ（図１０参照）を施工したとする。その後、屋根瓦１ａの左側に隣接して施工する屋根瓦１ｂの桟部４０を屋根瓦１ａの差込み部３０に被せて、屋根瓦１ｂの釘孔６０ａ、６０ｂに釘を挿通して、桟木３１０ａに打ち付けて屋根瓦１ｂを施工する。以上の工程を繰り返して、屋根瓦１を桁方向に施工していく。なお、上記の説明では、施工した屋根瓦の左隣りに屋根瓦を順次施工していくとしたが、逆方向に施工してもよく、施工した屋根瓦１の右側に施工する屋根瓦１の差込み部３０をすでに施工した屋根瓦１の桟部４０に差し込むようにして順次屋根瓦を施工してもよい。【０１０９】
次に、施工された屋根瓦１の尻部側に施工する屋根瓦１を施工する際には、屋根瓦１の差込み部３０の被係止部３６に係止突起５８を係止させて施工していく。例えば、図１０における屋根瓦１ｃを施工する際には、斜め左下に位置する屋根瓦１ｂの係止突起５８に被係止部３６を係止させて、桟木３１０ｂに釘孔６０ａ、６０ｂに挿通した釘を打ち込んで施工する。その後、屋根瓦１ｃの左側に隣接して屋根瓦１ｄを施工する。すなわち、屋根瓦１ｄの被係止部３６を斜め左下に位置する屋根瓦１ｂの係止突起５８に係止させるとともに、屋根瓦１ｄの桟部４０を屋根瓦１ｃの差込み部３０に被せた状態として、屋根瓦１ｄの釘孔６０ａ、６０ｂに釘を挿通し、桟木３１０ｂに釘を打ち付けて施工する。以上の工程を繰り返して、屋根瓦１ｃの桁方向に屋根瓦を施工していく。なお、上記と同様に、施工した屋根瓦の右隣りに屋根瓦を施工してもよい。【０１１０】
以上のようにして、桁方向の屋根瓦１の施工を流れ方向で軒側（図１０におけるＲ１側）から順次棟側（図１０におけるＲ２側）に行って、図１０に示すように屋根瓦１を施工する。なお、屋根瓦１を屋根面に施工した状態では、屋根瓦１のＸ１−Ｘ２方向はＲ１−Ｒ２方向と一致し、Ｙ１−Ｙ２方向はＵ１−Ｕ２方向と一致する。【０１１１】
次に、屋根面に施工した各屋根瓦１に連結金具１０１を取り付ける。すなわち、図１１に示すように、連結金具１０１を屋根瓦１の上面に配置させ、連結金具１０１の正面側を屋根瓦１の頭部１４側として、係止突起１６を連結金具１０１の開口部１１２ａに挿通するとともに、弾性部１１４の先端部１１４ｂと弾性部１１６の先端部１１６ｂが屋根瓦１の上面に接した状態で、連結金具１０１を屋根瓦１側に押圧して、底板部１１１が突設部１８の上面部１８ａと突設部２０の上面部２０ａに接した状態とすることにより、弾性部１１４、１１６が上方に回動して、図１２（ａ）に示す状態となる。すなわち、弾性部１１４が開口部１１２ｂから上方に突出した状態となり、弾性部１１６が開口部１１２ｃから上方に突出した状態となる。この状態では、先端部１１４ｂは、溝部１８ｆの背面側にあり、突設部１８の背面部１８ｅに接した状態となり、先端部１１６ｂは、溝部２０ｆの背面側にあり、突設部２０の背面部２０ｅに接した状態となる。【０１１２】
その後、連結金具１０１を屋根瓦１の頭部側にスライドさせることにより、開口部１１２ａの背面側の縁部１１３が係止突起１６の切欠部１６ｆ内に入り込んで、図１２（ｂ）に示す状態となる。【０１１３】
その後、さらに、連結金具１０１を屋根瓦１の頭部側にスライドさせることにより、弾性部１１４の先端部１１４ｂが溝部１８ｆに嵌合するとともに、弾性部１１６の先端部１１６ｂが溝部２０ｆに嵌合して、図１２（ｃ）に示す状態となる。【０１１４】
なお、先端部１１４ｂが溝部１８ｆに嵌合し、先端部１１６ｂが溝部２０ｆに嵌合した状態では、開口部１１２ａの背面側の縁部１１３は、切欠部１６ｆの奥部（正面側の端部）に位置し、底板部１１１は、係止突起１６に係止する。以上のようにして、連結金具１０１が屋根瓦１に係止・固定することにより、屋根瓦１に取り付けられる。ここで、「係止・固定」とは、図１２（ｂ）に示すように、連結金具１０１の縁部１１３が係止突起１６に係止されてから、先端部１１４ｂが溝部１８ｆに嵌合するとともに、先端部１１６ｂが溝部２０ｆに嵌合することにより、連結金具１０１が屋根瓦１に固定されることを意味している。連結金具１０１を屋根瓦１に取り付けた状態では、図１３〜図１５に示す状態となる。【０１１５】
なお、連結金具１０１を屋根瓦１に取り付けた状態では、図１２（ｃ）に示すように、連結金具１０１の正面側（軒側）の端部と屋根瓦１の正面側（軒側）の端部とは、流れ方向において略同一の位置となる。【０１１６】
連結金具１０１の取付けに際しては、１つの太陽電池モジュール２０１に対して２つの連結金具１０１を取り付けるように、所定の屋根瓦１に取り付けてもよいが、太陽電池モ
ジュール２０１と係合する連結金具１０１を多くして確実に屋根面に施工するために、全ての屋根瓦１に連結金具１０１を取り付けるのが好ましい。【０１１７】
次に、屋根瓦１に取り付けられた連結金具１０１に太陽電池モジュール２０１を取り付ける。なお、太陽電池モジュール２０１においては、長辺部２２２ａと長辺部２２２ｂのいずれを軒側としてもよいが、長辺部２２２ａ側を軒側とし、長辺部２２２ｂを棟側として取り付けるものとする。また、図１６において、取付け対象の太陽電池モジュールを太陽電池モジュール２０１ａとし、取付け対象の太陽電池モジュール２０１ａの棟側に設置されている太陽電池モジュールを太陽電池モジュール２０１ｂとし、太陽電池モジュール２０１ａを取り付ける連結金具を連結金具１０１ａとし、太陽電池モジュール２０１ｂが取り付けられた連結金具を連結金具１０１ｂとする。【０１１８】
まず、図１６（ａ）に示すように、太陽電池モジュール２０１ａを本来の太陽電池モジュール２０１ａの設置方向に対して軒側（長辺部２２２ａ側）を棟側（長辺部２２２ｂ側）に対して上方に持ち上げた状態として、太陽電池モジュール２０１ａの棟側を連結金具１０１ａ（太陽電池モジュール２０１を取り付ける連結金具）と棟側に隣接して設けられた太陽電池モジュール２０１ｂ間の隙間に挿入して、長辺部２２２ｂの金具係止部２３４の爪部２３４ｂを連結金具１０１ａの係止部１５４に係止させる。なお、長辺部２２２ｂの金具係止部２３４の爪部２３４ｂを連結金具１０１ａの係止部１５４に係止させたら、その状態で、他の配線コードのコネクタ（例えば、隣接する太陽電池モジュール２０１の配線コード２１６のコネクタ２１６ａ）と接続しておく。【０１１９】
その後、図１６（ｂ）に示すように、太陽電池モジュール２０１ａの軒側を下方に回動させる。つまり、爪部２３４ｂと係止部１５４の係合箇所を中心として、太陽電池モジュール２０１ａを下方に回動させる。なお、屋根瓦１や連結金具１０１ａは屋根面において傾斜しているので、太陽電池モジュール２０１ａを下方に回動させていくと、太陽電池モジュール２０１ａも軒側に傾斜した状態となり、太陽電池モジュール２０１ａの自重により係止部１５４と爪部２３４ｂの係合は強固となる。【０１２０】
その後、図１６（ｃ）に示すように、長辺部２２２ａの金具係止部２３４の爪部２３４ｂが側壁部１４０の先端板部１４２ｃに接するので、太陽電池モジュール２０１ａの軒側を下方に押し込んでいくと、爪部２３４ｂは先端板部１４２ｃの外側の面に案内されて、下方にスライドしていく。【０１２１】
その後、長辺部２２２ａの金具係止部２３４の爪部２３４ｂが係止部１４４に係合し、図１６（ｄ）の状態となる。【０１２２】
以上のようにして、太陽電池モジュール２０１を連結金具１０１に係止・固定することにより、連結金具１０１に取り付けられ、太陽電池モジュール２０１が連結金具１０１に支持される。ここで、「係止・固定」とは、図１６（ａ）に示すように、長辺部２２２ｂの爪部２３４ｂが係止部１５４に係止されてから、長辺部２２２ａの爪部２３４ｂが係止部１４４に係止することにより、太陽電池モジュール２０１が連結金具１０１に固定されることを意味している。太陽電池モジュール２０１を連結金具１０１に取り付けた状態では、図１６（ｄ）、図１７、図１８に示す状態となる。【０１２３】
なお、図１６、図１７では、屋根瓦１ａ及び連結金具１０１ａは、屋根瓦１ｂ及び連結金具１０１ｂに対して、実際には図１５に示すように桁方向（軒側から見て右方向）にずれて設けられていて、図１６、図１７において、屋根瓦１ａ及び連結金具１０１ａについての切断線と、屋根瓦１ｂ及び連結金具１０１ｂについての切断線とは桁方向にずれている。つまり、図１６（ｄ）、図１７は、図１８におけるＣ−Ｃ断面図となる。【０１２４】
棟側の２列の太陽電池モジュール２０１と該２列の太陽電池モジュール２０１の軒側に隣接する１つの太陽電池モジュール２０１とを施工した状態は、図１８に示す状態となる。【０１２５】
上記取付け構造体Ｐにおける屋根瓦１によれば、屋根瓦１の頭部に連結金具１０１の弾性部を係止する構成ではないので、屋根瓦の頭部を連結金具の弾性部に適合した厚みにするために切欠きを形成する必要がなく、屋根瓦の頭部側の見栄えをよくすることができ、結果として、屋根瓦の見栄えをよくすることができる。また、屋根瓦を施工し、その後、連結金具と太陽電池モジュールを取り付けるまでの期間が長くなって、屋根瓦の頭部が軒側から見やすい状態であっても、屋根瓦の見栄えを悪くすることがない。また、切欠きが形成されないので、屋根瓦の頭部が損傷するおそれがない。また、屋根瓦１では、突設部１８と突設部２０は、板状部１２の上面に屋根瓦１の周囲の端部とは間隔を介して形成され、溝部１８ｆ、２０ｆは、瓦本体の外周部よりも内側に形成されているので、溝部１８ｆ、２０ｆの形成箇所（すなわち、突設部１８、２０）は焼成による収縮の度合いが小さく、屋根瓦１の溝部１８ｆと突設部２０の溝部２０ｆとを精度よく位置決めすることができ、連結金具の弾性部１１４、１１６との係合を強固にすることができ、取り付けた連結金具１０１がずれることがない。【０１２６】
また、連結金具１０１においても、連結金具１０１の開口部１１２ａが係止突起１６に係止するとともに、先端部１１４ｂが突設部１８の溝部１８ｆに嵌合し、先端部１１６ｂが突設部２０の溝部２０ｆに嵌合する構成であるので、桁方向や流れ方向に連結金具１０１がずれるおそれがなく、連結金具１０１の屋根瓦１に対する取付け位置がずれるおそれがない。【０１２７】
また、屋根瓦１と連結金具１０１において、弾性部１１４は、屋根瓦１の周囲の端部よりも内側に形成された溝部１８ｆに嵌合するので、連結金具１０１の正面側（軒側）の端部と屋根瓦１の正面側（軒側）の端部とは、流れ方向において略同一の位置となり、少なくとも、連結金具１０１が屋根瓦１の頭部から軒側の突出する長さを短くすることができるので、結果として、太陽電池モジュール２０１が屋根瓦１の頭部から軒側に突出する長さを短くすることができ、太陽電池モジュールが風に吹き上げられる程度を小さくできるとともに、太陽電池モジュールの施工状態の見栄えもよくすることができる。特に、連結金具１０１の正面側の端部と屋根瓦１の正面側の端部とを流れ方向において略同一の位置とした場合には、太陽電池モジュール２０１が屋根瓦１の頭部から軒側に突出する長さを極めて短くすることができ、太陽電池モジュールが風に吹き上げられる程度をさらに小さくできるとともに、太陽電池モジュールの施工状態の見栄えもさらによくすることができる。【０１２８】
なお、上記の説明において、屋根瓦１は２つの突設部１８、２０を有し、連結金具１０１は、２つの弾性部１１４、１１６を有するものとしたが、屋根瓦１において、突設部１８と突設部２０のいずれか一方のみとし、連結金具１０１における弾性部も突設部に対応するもののみとしてもよい。例えば、突設部については、突設部１８のみとし、弾性部については、弾性部１１４のみとしたり、また、突設部については、突設部２０のみとし、弾性部については、弾性部１１６のみとする。この場合でも、係止突起１６との係止とともに２箇所で係止するので、連結金具を屋根瓦に十分固定させることができる。【０１２９】
また、屋根瓦１においては、係止突起１６の背面側に切欠部１６ｆが形成されているが、係止突起１６の向きを１８０度回転させて、切欠部１６ｆを係止突起１６の正面側に設けてもよい。その場合には、係止突起１６を連結金具１０１の開口部１１２ａに挿通させた後に、連結金具１０１を尻部５０側にスライドさせて連結金具１０１を屋根瓦１に取り
付けることになる。
【実施例２】
【０１３０】
次に、屋根瓦と連結金具の他の実施例について説明する。実施例２の屋根瓦（太陽電池モジュール設置用屋根瓦）２の構成は、実施例１の屋根瓦１と略同一の構成であるが、図１９に示すように、突設部１８、２０の構成が異なる。すなわち、連結金具１０２の弾性部１１４（舌片状弾性部１１４としてもよい）にピン１１４ｃが設けられ、弾性部１１６（舌片状弾性部１１６）にピン１１６ｃが設けられているのに対応した構成となっている。【０１３１】
すなわち、実施例２の屋根瓦２における突設部１８は、実施例１の屋根瓦１の突設部１８と略同一の構成であるが、溝部１８ｆ、１８ｇの代わりに、円形の穴部（嵌合凹部）１８ｈが形成されている。穴部１８ｈは、穴状を呈し、上面部１８ａの左右方向及び前後方向の略中央に形成され、特に、左右方向には上面部１８ａの中央（すなわち、左右方向に均等の位置）に形成されている。つまり、穴部１８ｈは、係止突起１６の正面方向の位置に設けられている。また、穴部１８ｈは、溝部の深さ方向には鉛直方向に形成されている。この穴部１８ｈには連結金具１０１のピン１１４ｃが嵌合される。つまり、穴部１８ｈは、柱状部１１４ｃ−２が嵌合可能な径（少なくとも柱状部１１４ｃ−２の径以上の径）を有している。【０１３２】
同様に、実施例２の屋根瓦２における突設部２０は、実施例１の屋根瓦１の突設部２０と略同一の構成であるが、溝部２０ｆ、２０ｇの代わりに、円形の穴部（嵌合凹部）２０ｈが形成されている。穴部２０ｈは、穴状を呈し、上面部２０ａの左右方向及び前後方向の略中央に形成され、特に、左右方向には上面部２０ａの中央（すなわち、左右方向に均等の位置）に形成されている。つまり、穴部２０ｈは、係止突起１６の背面方向の位置に設けられている。また、穴部２０ｈは、溝部の深さ方向には鉛直方向に形成されている。この穴部２０ｈには連結金具１０２のピン１１６ｃが嵌合される。つまり、穴部２０ｈは、柱状部１１６ｃ−２が嵌合可能な径（少なくとも柱状部１１６ｃ−２の径以上の径）を有している。【０１３３】
穴部１８ｈと穴部２０ｈの前後方向の形成位置は、連結金具１０２の開口部１１２ａに係止突起１６を挿通した後、連結金具１０２を正面側にスライドさせた際に、連結金具１０２のピン１１４ｃが穴部１８ｈに嵌合し、ピン１１６ｃが穴部２０ｈに嵌合する位置に形成されている。なお、ピン１１４ｃが穴部１８ｈに嵌合し、ピン１１６ｃが穴部２０ｈに嵌合した状態では、連結金具１０２の開口部１１２ａの背面側の縁部１１３が係止突起１６の切欠部１６ｆの奥部（正面側の端部）に接するようにするのが好ましい。【０１３４】
なお、穴部１８ｈは、少なくとも、瓦本体９（本体部１０としてもよい）の上面における前後方向において係止突起１６の形成位置よりも正面側となる領域（つまり、本体部１０の右側面側の端部から左側面側の端部までの範囲で、係止突起１６よりも正面側となる領域）に形成され、穴部２０ｈは、少なくとも、瓦本体９（本体部１０としてもよい）の上面における前後方向において係止突起１６の形成位置よりも正面背面側となる領域（つまり、本体部１０の右側面側の端部から左側面側の端部までの範囲で、係止突起１６よりも背面側となる領域）に形成されているといえる。【０１３５】
また、突設部１８が屋根瓦２（瓦本体９としてもよい）の上面における屋根瓦２（瓦本体９としてもよい）の外周部よりも内側に形成されているので、穴部１８ｈも屋根瓦３（瓦本体９としてもよい）の上面における屋根瓦２（瓦本体９としてもよい）の外周部よりも内側に形成され、また、突設部２０が屋根瓦２（瓦本体９としてもよい）の上面における屋根瓦２（瓦本体９としてもよい）の外周部よりも内側に形成されているので、穴部２
０ｈも屋根瓦２（瓦本体９としてもよい）の上面における屋根瓦２（瓦本体９としてもよい）の外周部よりも内側に形成されている。【０１３６】
実施例２の屋根瓦２における上記以外の構成は、実施例１の屋根瓦１と同様であるので詳しい説明を省略する。【０１３７】
なお、上記実施例１と同様に、屋根瓦２を図１９に示す構成に対して左右対称としてもよい。【０１３８】
また、実施例２の連結金具１０２は、実施例１の連結金具１０１と略同一の構成であるが、弾性部１１４、１１６の構成が異なる。【０１３９】
すなわち、弾性部１１４は、図２０、図２１に示すように、開口部１１２ｂにおける背面側の辺部から連設された弾性部本体１１４ａと、弾性部本体１１４ａの先端部分（先端領域としてもよい）に設けられ、下方に突出したピン１１４ｃとを有している。弾性部１１４は、開口部１１２ａの正面方向の位置に設けられている。【０１４０】
弾性部本体１１４ａは、底面部１１０を切り欠いて形成され、略台形形状（舌片状）の板状を呈し、開口部１１２ｂにおける背面側の辺部から連設され、底板部１１１に対して下方に折曲して形成されている。つまり、弾性部本体１１４ａは、側面視において、底板部１１１に対して鋭角である角度α１１をなしている。また、弾性部本体１１４ａの先端部分には、ピン１１４ｃの柱状部１１４ｃ−２を挿通するための穴部が形成されている。弾性部本体１１４ａにおける基端から先端への方向は、底板部１１１の長手方向となっている。【０１４１】
また、ピン１１４ｃは、頭部１１４ｃ−１と、頭部１１４ｃ−１から連設された柱状部（嵌合部）１１４ｃ−２とを有し、柱状部１１４ｃ−２が弾性部本体１１４ａの穴部に挿通された状態で、頭部１１４ｃ−１が弾性部本体１１４ａに固定され（例えば、溶接や接着剤により固定されている）、柱状部１１４ｃ−２が弾性部本体１１４ａから下方に突出した状態となっている。つまり、柱状部１１４ｃ−２は、円柱状を呈し、穴部１８ｈに嵌合可能な径（少なくとも穴部１８ｈの内径以下の径）を有している。【０１４２】
また、弾性部１１６は、図２０、図２１に示すように、開口部１１２ｃにおける正面側の辺部から連設された弾性部本体１１６ａと、弾性部本体１１６ａの先端部分（先端領域としてもよい）に設けられ、下方に突出したピン１１６ｃとを有している。弾性部１１６は、開口部１１２ａの背面方向の位置に設けられている。【０１４３】
弾性部本体１１６ａは、底面部１１０を切り欠いて形成され、略台形形状（舌片状）の板状を呈し、開口部１１２ｃにおける正面側の辺部から連設され、底板部１１１に対して下方に折曲して形成されている。つまり、弾性部本体１１６ａは、側面視において、底板部１１１に対して鋭角である角度α１２をなしている。また、弾性部本体１１６ａの先端部分（先端領域としてもよい）には、ピン１１６ｃの柱状部１１６ｃ−２を挿通するための穴部が形成されている。弾性部本体１１６ａにおける基端から先端への方向は、底板部１１１の長手方向となっている。【０１４４】
また、ピン１１６ｃは、ピン１１４ｃと同様の構成であり、頭部１１６ｃ−１と、頭部１１６ｃ−１から連設された柱状部（嵌合部）１１６ｃ−２とを有し、柱状部１１６ｃ−２が弾性部本体１１６ａの穴部に挿通された状態で、頭部１１６ｃ−１が弾性部本体１１６ａに固定され、柱状部１１６ｃ−２が弾性部本体１１６ａから下方に突出した状態となっている。つまり、柱状部１１６ｃ−２は、円柱状を呈し、穴部２０ｈに嵌合可能な径（
少なくとも穴部２０ｈの内径以下の径）を有している。【０１４５】
なお、柱状部１１４ｃ−２、１１６ｃ−２の形成に当たっては、柱状部１１４ｃ−２、１１６ｃ−２が弾性部本体１１４ａ、１１６ａから下方に突出した構成であれば他の方法でもよく、例えば、弾性部本体１１４ａ、１１６ａにバーリング加工を行ってネジ穴を形成し、ピン１１４ｂ、１１６ｂの柱状部１１４ｂ−２、１１６ｂ−２の基端部分にネジ溝を形成してピン１１４ｂ、１１６ｂを弾性部本体１１４ａ、１１６ａに螺着してもよい。【０１４６】
なお、弾性部本体１１４ａ、１１６ａは、板状の鋼材（弾性を有する部材）で形成されているので、弾性を有している。【０１４７】
連結金具１０２における上記以外の構成は、実施例１の連結金具１０１と同一であるので詳しい説明を省略する。【０１４８】
なお、実施例２における太陽電池モジュールの構成は、実施例１と同様であるので詳しい説明を省略する。なお、屋根瓦２と連結金具１０２と太陽電池モジュール２０１とにより太陽電池取付け構造体を構成する。【０１４９】
連結金具１０２の屋根瓦２への取付けの方法は、実施例１の場合と同様であり、連結金具１０２の正面側を屋根瓦１の頭部１４側として、係止突起１６を連結金具１０２の開口部１１２ａに挿通するとともに、弾性部１１４のピン１１４ｃと弾性部１１６のピン１１６ｃが屋根瓦２の上面に接した状態で、連結金具１０２を屋根瓦２側に押圧して、底板部１１１が突設部１８の上面部１８ａと突設部２０の上面部２０ａに接した状態とすることにより、弾性部１１４、１１６が上方に回動して、弾性部１１４が開口部１１２ｂから上方に突出した状態となり、弾性部１１６が開口部１１２ｃから上方に突出した状態となる。その際、ピン１１４ｃは、突設部１８の背面部１８ｅの上面に接し、ピン１１６ｃは、突設部２０の背面部２０ｅに接する。【０１５０】
その後、連結金具１０２を屋根瓦２の頭部側にスライドさせることにより、開口部１１２ａの背面側の縁部１１３が係止突起１６の切欠部１６ｆ内に入り込む。なお、背面部１８ｅ、２０ｅは傾斜しているので、ピン１１４ｃ、１１６ｃがスライドする際に支障となることはない。【０１５１】
その後、さらに、連結金具１０２を屋根瓦２の頭部側にスライドさせることにより、弾性部１１４のピン１１４ｃが穴部１８ｈに嵌合するとともに、弾性部１１６のピン１１６ｃが穴部２０ｈに嵌合して、図２２に示す状態となる。【０１５２】
なお、ピン１１４ｃが穴部１８ｈに嵌合し、ピン１１６ｃが穴部２０ｈに嵌合した状態では、開口部１１２ａの背面側の縁部１１３は、切欠部１６ｆの奥部（正面側の端部）に位置し、底板部１１１は、係止突起１６に係止する。以上のようにして、連結金具１０２が屋根瓦２に係止・固定することにより、屋根瓦２に取り付けられる。【０１５３】
屋根瓦２の屋根面への施工の方法や、太陽電池モジュール２０１の連結金具１０２への取付け方法は、実施例１と同様であるので詳しい説明を省略する。【０１５４】
次に、実施例２の屋根瓦２に使用する連結金具の他の例（第１の例）について図２３を使用して説明する。すなわち、図２３に示す連結金具（太陽電池モジュール設置用連結金具）１０３は、実施例１の連結金具１０１と略同一の構成であるが、底面部１１０の構成が異なる。【０１５５】
すなわち、連結金具１０３における底面部１１０は、底板部１１１と、弾性部１１４、１１６とを有しているが、底板部１１１には、実施例１の連結金具１０１や図２０〜図２２に示す連結金具１０２の底板部１１１に設けられている開口部１１２ｂ、１１２ｃは設けられておらず、また、弾性部１１４、１１６は舌片状となっていない点が異なる。【０１５６】
つまり、底板部１１１は、長方形状（略長方形状としてもよい）の外形を有し、略中央に方形状の開口部１１２ａが形成されている。【０１５７】
また、弾性部１１４は、底板部１１１の開口部１１２ａよりも正面側の下面に固定して設けられた弾性部本体１１４ｄと、弾性部本体１１４ｄの下面から下方に突出した柱状部（嵌合部）１１４ｅとを有している。弾性部１１４は、開口部１１２ａの正面方向の位置に設けられている。【０１５８】
弾性部本体１１４ｄは、底板部１１１の開口部１１２ａよりも正面側の下面に固定して設けられたコイルバネ状の弾性体１１４ｄ−１と、弾性体１１４ｄ−１の下端に固定された円形の板状部１１４ｄ−２とを有している。この弾性体１１４ｄ−１の外径は、底板部１１１の短辺側の幅よりも小さく形成され、弾性体１１４ｄ−１の中心軸は、底板部１１１の下面に対して鉛直方向となっている。また、板状部１１４ｄ−２の外径は、弾性体１１４ｄ−１の外径と略同一となっている。弾性体１１４ｄ−１は、底板部１１１の下面に溶接や接着剤等により固定され、板状部１１４ｄ−２は、弾性体１１４ｄ−１の下端に溶接や接着剤等により固定されている。【０１５９】
また、柱状部１１４ｅは、柱状（具体的には、円柱状）を呈し、穴部１８ｈに嵌合可能な径（少なくとも穴部１８ｈの内径以下の径）を有している。柱状部１１４ｅは、その中心軸が、弾性体１１４ｄ−１の中心軸と一致するように設けられている。柱状部１１４ｅは、板状部１１４ｄ−２の下面に溶接や接着剤等により固定されている。【０１６０】
弾性部１１４における弾性体１１４ｄ−１と板状部１１４ｄ−２と柱状部１１４ｅは、鋼材（例えば、ステンレス製のバネ鋼材）により形成されており、コイルバネ状の弾性体１１６４−１も該鋼材により形成されているので、弾性部本体１１４ｄは、弾性を有する。【０１６１】
また、弾性部１１６は、弾性体１１４と同一の構成であり、底板部１１１の開口部１１２ａよりも背面側の下面に固定して設けられた弾性部本体１１６ｄと、弾性部本体１１６ｄの下面から下方に突出した柱状部１１６ｅとを有している。弾性部１１６は、開口部１１２ａの背面方向の位置に設けられている。【０１６２】
弾性部本体１１６ｄは、底板部１１１の開口部１１２ａよりも背面側の下面に固定して設けられたコイルバネ状の弾性体１１６ｄ−１と、弾性体１１６ｄ−１の下端に固定された円形の板状部１１６ｄ−２とを有している。弾性体１１６ｄ−１の構成は、弾性体１１４ｄ−１と同一であり、板状部１１６ｄ−２の構成は、板状部１１４ｄ−２と同一であるので、詳しい説明を省略する。【０１６３】
また、柱状部１１６ｅは、円柱状を呈し、穴部２０ｈに嵌合可能な径（少なくとも穴部１８ｈの内径以下の径）を有している。柱状部１１６ｅは、その中心軸が、弾性体１１６ｄ−１の中心軸と一致するように設けられている。【０１６４】
弾性部１１６における弾性体１１６ｄ−１と板状部１１６ｄ−２と柱状部１１６ｅは、鋼材（例えば、ステンレス製のバネ鋼材）により形成されており、コイルバネ状の弾性体１１６ｄ−１も該鋼材により形成されているので、弾性部本体１１６ｄは、弾性を有する
。【０１６５】
なお、連結金具１０３における底面部１１０以外の構成は、実施例１の連結金具１０１と同一であるので詳しい説明を省略する。なお、屋根瓦２と連結金具１０３と太陽電池モジュール２０１とにより太陽電池取付け構造体を構成する。【０１６６】
連結金具１０３の屋根瓦２への取付けの方法は、連結金具１０２の場合と同様であり、連結金具１０３の正面側を屋根瓦１の頭部１４側として、係止突起１６を連結金具１０３の開口部１１２ａに挿通するとともに、弾性部１１４の柱状部１１４ｅと弾性部１１６の柱状部１１６ｅが屋根瓦２の上面に接した状態で、連結金具１０３を屋根瓦２側に押圧して、底板部１１１が突設部１８の上面部１８ａと突設部２０の上面部２０ａに接した状態とする。その際、柱状部１１４ｅは、突設部１８の背面部１８ｅの上面に接し、柱状部１１６ｅは、突設部２０の背面部２０ｅに接する。その後、連結金具１０３を屋根瓦２の頭部側にスライドさせることにより、開口部１１２ａの背面側の縁部１１３が係止突起１６の切欠部１６ｆ内に入り込む。なお、背面部１８ｅ、２０ｅは傾斜しているので、ピン１１４ｃ、１１６ｃがスライドする際に支障となることはない。【０１６７】
その後、さらに、連結金具１０３を屋根瓦２の頭部側にスライドさせることにより、弾性部１１４の柱状部１１４ｅが穴部１８ｈに嵌合するとともに、弾性部１１６の柱状部１１６ｅが穴部２０ｈに嵌合する。【０１６８】
なお、柱状部１１４ｅが穴部１８ｈに嵌合し、柱状部１１６ｅが穴部２０ｈに嵌合した状態では、開口部１１２ａの背面側の縁部１１３は、切欠部１６ｆの奥部（正面側の端部）に位置し、底板部１１１は、係止突起１６に係止する。以上のようにして、連結金具１０３が屋根瓦２に係止・固定することにより、屋根瓦２に取り付けられる。【０１６９】
屋根瓦２の屋根面への施工の方法や、太陽電池モジュール２０１の連結金具１０３への取付け方法は、実施例１と同様であるので詳しい説明を省略する。【０１７０】
次に、実施例２の屋根瓦２に使用する連結金具の他の例（第２の例）について図２４を使用して説明する。すなわち、図２４に示す連結金具（太陽電池モジュール設置用連結金具）１０４は、図２３の連結金具１０３と略同一の構成であるが、弾性部本体の構成が異なり、特に、弾性部本体における弾性部をコイルバネ状の弾性体の代わりに、スポンジ状発泡体からなる弾性体とした点が異なる。【０１７１】
すなわち、連結金具１０４における底面部１１０は、底板部１１１と、弾性部１１４、１１６とを有しており、弾性部１１４は、底板部１１１の開口部１１２ａよりも正面側の下面に固定して設けられた弾性部本体１１４ｆと、弾性部本体１１４ｆの下面から下方に突出した柱状部１１４ｇとを有し、また、弾性体１１６は、弾性体１１４と同一の構成であり、底板部１１１の開口部１１２ａよりも背面側の下面に固定して設けられた弾性部本体１１６ｆと、弾性部本体１１６ｆの下面から下方に突出した柱状部（嵌合部）１１６ｇとを有している。弾性部１１４は、開口部１１２ａの正面方向の位置に設けられ、弾性部１１６は、開口部１１２ａの背面方向の位置に設けられている。【０１７２】
ここで、弾性部本体１１４ｆは、底板部１１１の開口部１１２ａよりも正面側の下面に接着等により固定して設けられ、スポンジ状発泡体により構成された弾性体１１４ｆ−１と、弾性体１１４ｆ−１の下面に接着等により固定された方形状の板状部１１４ｆ−２とを有している。この弾性体１１４ｆ−１は直方体形状を呈し、弾性体１１４ｆ−１の上面と下面とは平行に形成され、弾性体１１４ｆ−１の幅（底板部１１１の短辺方向の幅）は、底板部１１１の短辺側の幅よりも小さく形成されている。また、板状部１１４ｆ−２は方形状を呈し、弾性体１１４ｆ−１の平面視の大きさよりも大きく形成され、板状部１１
４ｆ−２における底板部１１１の短辺方向の幅は、弾性体１１４ｆ−１における底板部１１１の短辺方向の幅よりも大きく形成され、板状部１１４ｆ−２における底板部１１１の長辺方向の幅は、弾性体１１４ｆ−１における底板部１１１の短辺長辺の幅よりも大きく形成されていて、弾性体１１４ｆ−１の下面の全体が板状部１１４ｆ−２に接し、弾性体１１４ｆ−１が板状部１１４ｆ−２の中央となるように形成されている。【０１７３】
また、柱状部１１４ｇは、柱状（具体的には、円柱状）を呈し、穴部１８ｈに嵌合可能な径（少なくとも穴部１８ｈの内径以下の径）を有している。柱状部１１４ｇは、板状部１１４ｆ−２の中央に設けられている。柱状部１１４ｇは、板状部１１４ｆ−２の下面に溶接や接着剤等により固定されている。【０１７４】
弾性部１１４における板状部１１４ｆ−２と柱状部１１４ｇは、鋼材（例えば、ステンレス製のバネ鋼材）により形成されている。また、弾性体１１４ｆ−１は、スポンジ状発泡体により構成されているので、弾性部本体１１４ｆは弾性を有する。【０１７５】
また、弾性部１１６は、弾性体１１４と同一の構成であり、底板部１１１の開口部１１２ａよりも背面側の下面に固定して設けられた弾性部本体１１６ｆと、弾性部本体１１６ｆの下面から下方に突出した柱状部１１６ｇとを有している。【０１７６】
弾性部本体１１６ｆは、底板部１１１の開口部１１２ａよりも背面側の下面に接着等により固定して設けられ、スポンジ状発泡体により構成された弾性体１１６ｆ−１と、弾性体１１６ｆ−１の下面に接着等により固定された方形状の板状部１１６ｆ−２とを有している。弾性体１１６ｆ−１の構成は、弾性体１１４ｆ−１と同一であり、板状部１１６ｆ−２の構成は、板状部１１４ｆ−２と同一であるので、詳しい説明を省略する。【０１７７】
また、柱状部１１６ｇは、柱状部１１４ｇと同一の構成であり、円柱状を呈し、穴部２０ｈに嵌合可能な径（少なくとも穴部２０ｈの内径以下の径）を有している。柱状部１１６ｇは、板状部１１６ｆ−２の中央に設けられている。柱状部１１６ｇは、板状部１１６ｆ−２の下面に溶接や接着剤等により固定されている。【０１７８】
弾性部１１６における板状部１１６ｆ−２と柱状部１１６ｇは、鋼材（例えば、ステンレス製のバネ鋼材）により形成されている。また、弾性体１１６ｆ−１は、スポンジ状発泡体により構成されているので、弾性部本体１１６ｆは弾性を有する。【０１７９】
なお、連結金具１０４における底面部１１０以外の構成は、実施例１の連結金具１０１と同一であるので詳しい説明を省略する。なお、屋根瓦２と連結金具１０４と太陽電池モジュール２０１とにより太陽電池取付け構造体を構成する。【０１８０】
連結金具１０４の屋根瓦２への取付けの方法は、連結金具１０３の場合と同様であり、連結金具１０４の正面側を屋根瓦１の頭部１４側として、係止突起１６を連結金具１０４の開口部１１２ａに挿通するとともに、弾性部１１４の柱状部１１４ｇと弾性部１１６の柱状部１１６ｇが屋根瓦２の上面に接した状態で、連結金具１０４を屋根瓦２側に押圧して、底板部１１１が突設部１８の上面部１８ａと突設部２０の上面部２０ａに接した状態とする。その際、柱状部１１４ｇは、突設部１８の背面部１８ｅの上面に接し、柱状部１１６ｅｇは、突設部２０の背面部２０ｅに接する。その後、連結金具１０４を屋根瓦２の頭部側にスライドさせることにより、開口部１１２ａの背面側の縁部１１３が係止突起１６の切欠部１６ｆ内に入り込む。なお、背面部１８ｅ、２０ｅは傾斜しているので、ピン１１４ｃ、１１６ｃがスライドする際に支障となることはない。【０１８１】
その後、さらに、連結金具１０４を屋根瓦２の頭部側にスライドさせることにより、弾
性部１１４の柱状部１１４ｇが穴部１８ｈに嵌合するとともに、弾性部１１６の柱状部１１６ｇが穴部２０ｈに嵌合する。【０１８２】
なお、柱状部１１４ｇが穴部１８ｈに嵌合し、柱状部１１６ｇが穴部２０ｈに嵌合した状態では、開口部１１２ａの背面側の縁部１１３は、切欠部１６ｆの奥部（正面側の端部）に位置し、底板部１１１は、係止突起１６に係止する。以上のようにして、連結金具１０４が屋根瓦２に係止・固定することにより、屋根瓦２に取り付けられる。【０１８３】
屋根瓦２の屋根面への施工の方法や、太陽電池モジュール２０１の連結金具１０４への取付け方法は、実施例１と同様であるので詳しい説明を省略する。【０１８４】
本実施例の屋根瓦２や連結金具１０２〜１０４によっても、実施例１と同様の効果を得ることができる。【０１８５】
つまり、屋根瓦２によれば、屋根瓦２の頭部に連結金具１０２の弾性部を係止する構成ではないので、屋根瓦の頭部に切欠部を形成する必要がなく、屋根瓦の見栄えをよくすることができ、また、切欠きが形成されないので、屋根瓦の頭部が損傷するおそれがない。また、屋根瓦２では、穴部１８ｈ、２０ｈは、瓦本体の外周部よりも内側に形成されているので、穴部１８ｈ、２０ｈの形成箇所は焼成による収縮の度合いが小さく、屋根瓦２の穴部１８ｈ、２０ｈを精度よく位置決めすることができ、連結金具の弾性部１１４、１１６との係合を強固にすることができ、取り付けた連結金具１０２がずれることがない。【０１８６】
また、連結金具１０２〜１０４においても、連結金具１０２の開口部１１２ａが係止突起１６に係止するとともに、柱状部１１４ｃ−２（１１４ｅ、１１４ｇ）が穴部１８ｈに嵌合し、柱状部１１６ｃ−２（１１６ｅ、１１６ｇ）が穴部２０ｈに嵌合する構成であるので、桁方向や流れ方向に連結金具１０２がずれるおそれがなく、連結金具１０２の屋根瓦２に対する取付け位置がずれるおそれがない。【０１８７】
また、屋根瓦２と連結金具１０２〜１０４において、弾性部１１４は、屋根瓦２の周囲の端部よりも内側に形成された穴部１８ｈに嵌合するので、連結金具１０２の正面側（軒側）の端部と屋根瓦２の正面側（軒側）の端部とは、流れ方向において略同一の位置となり、少なくとも、連結金具１０２〜１０４が屋根瓦２の頭部から軒側の突出する長さを短くすることができるので、結果として、太陽電池モジュール２０１が屋根瓦２の頭部から軒側に突出する長さを短くすることができ、太陽電池モジュールが風に吹き上げられる程度を小さくできるとともに、太陽電池モジュールの施工状態の見栄えもよくすることができる。【０１８８】
なお、この実施例２においても、屋根瓦２において、突設部１８と突設部２０のいずれか一方のみとし、連結金具１０２における弾性部も突設部に対応するもののみとしてもよい。例えば、突設部については、突設部１８のみとし、弾性部については、弾性部１１４のみとしたり、また、突設部については、突設部２０のみとし、弾性部については、弾性部１１６のみとする。この場合でも、係止突起１６との係止とともに２箇所で係止するので、連結金具を屋根瓦に十分固定させることができる。【０１８９】
また、屋根瓦２においては、係止突起１６の背面側に切欠部１６ｆが形成されているが、係止突起１６の向きを１８０度回転させて、切欠部１６ｆを係止突起１６の正面側に設けてもよい。その場合には、係止突起１６を連結金具１０２の開口部１１２ａに挿通させた後に、連結金具１０２〜１０４を尻部５０側にスライドさせて連結金具１０２を屋根瓦２に取り付けることになる。【０１９０】
なお、実施例２において、柱状部１１４ｃ−２、１１６ｃ−２、１１４ｅ、１１６ｅ、１１４ｇ、１１６ｇは円柱状であるとしたが、柱状であればよく、例えば、三角柱状、四角柱状等の多角柱状であってもよい。また、柱状部は、柱状でなくても、先端にいくほど小径となる錐状としてもよく、例えば、円錐状、三角錐状、四角錐状としてもよい。
【実施例３】
【０１９１】
次に、屋根瓦と連結金具の他の実施例について説明する。実施例３の屋根瓦（太陽電池モジュール設置用屋根瓦）３の構成は、実施例１の屋根瓦１と略同一の構成であるが、図２５に示すように、係止突起１６と突設部１８、２０の構成が異なる。すなわち、連結金具１０５の弾性部１１４、１１６が左右方向に伸びて形成され、先端部１１４ｉ、１１６ｉが前後方向に形成されているのに対応した構成となっている。【０１９２】
すなわち、係止突起１６は、実施例１の係止突起１６と同一の構成であるが、形成方向が異なり、切欠部１６ｆが右側面側となるように形成されている。つまり、実施例３の係止突起１６は、板状部１２の上面の略中央に設けられ、右側面側に切欠部１６ｆを有するフック状を呈していて、右側面側が開口した構成となっている。係止突起１６の形成方向が異なる以外は、実施例１の係止突起１６と同様の構成であるので詳しい説明を省略する。【０１９３】
また、実施例３の屋根瓦３における突設部１８は、実施例１の屋根瓦１の突設部１８と略同一の構成であるが、溝部１８ｆ、１８ｇの代わりに、溝部（嵌合凹部）１８ｉが形成されている。すなわち、溝部１８ｉは、突設部１８の上面部１８ａにおける左側面側に偏った位置に前後方向に形成されている。溝部１８ｉの長さは、弾性部１１４の先端部１１４ｉの幅（前後方向の幅）と同一又は先端部１１４ｉの幅（前後方向の幅）よりも若干長く形成されるとともに、溝部１８ｉの幅は先端部１１４ｉが嵌合する幅（少なくとも先端部１１４ｉの厚み以上の幅）に形成され、これにより、溝部１８ｉに嵌合した弾性部１１４が桁方向や流れ方向にずれないようになっている。溝部１８ｉは、溝部の深さ方向には鉛直方向に形成されている。この溝部１８ｉには連結金具１０５の先端部１１４ｉが嵌合される。【０１９４】
また、実施例３の屋根瓦３における突設部２０は、実施例１の屋根瓦１の突設部２０と略同一の構成であるが、溝部２０ｆ、２０ｇの代わりに、溝部（嵌合凹部）２０ｉが形成されている。すなわち、溝部２０ｉは、突設部２０の上面部２０ａにおける右側面側に偏った位置に前後方向に形成されている。つまり、溝部１８ｉと溝部２０ｉとは左右方向にずれて形成されている。溝部２０ｉの長さは、弾性部１１６の先端部１１６ｉの幅（前後方向の幅）と同一又は先端部１１６ｉの幅（前後方向の幅）よりも若干長く形成されるとともに、溝部２０ｉの幅は先端部１１６ｉが嵌合する幅（少なくとも先端部１１６ｉの厚み以上の幅）に形成され、これにより、溝部２０ｉに嵌合した弾性部１１４が桁方向や流れ方向にずれないようになっている。溝部２０ｉは、溝部の深さ方向には鉛直方向に形成されている。この溝部２０ｉは連結金具１０５の先端部１１６ｉが嵌合される。なお、突設部２０の左右方向の位置は、突設部１８の左右方向の位置と一致している。【０１９５】
溝部１８ｉと溝部２０ｉとは、係止突起１６を中心に互いに略点対称（点対称としてもよい）の位置に形成されるとともに、溝部１８ｉと溝部２０ｉとは、係止突起１６を中心に互いに略点対称（点対称としてもよい）に形成されている。つまり、平面視において、溝部１８ｉの背面側の端部と溝部２０ｉの正面側の端部とを結ぶ直線における溝部１８ｉの背面側の端部と溝部２０ｉの正面側の端部から等距離の点である中心点（この中心点は、平面視において、係止突起１６の領域内にある）を中心に点対称の位置に形成され、溝部１８ｉと溝部２０ｉとは、該中心点を中心に点対称に形成されている。【０１９６】
なお、溝部１８ｉは、少なくとも、瓦本体９（本体部１０としてもよい）の上面における前後方向において係止突起１６の形成位置よりも正面側となる領域（つまり、本体部１０の右側面側の端部から左側面側の端部までの範囲で、係止突起１６よりも正面側となる領域）に形成され、溝部２０ｉは、少なくとも、瓦本体９（本体部１０としてもよい）の上面における前後方向において係止突起１６の形成位置よりも背面側となる領域（つまり、本体部１０の右側面側の端部から左側面側の端部までの範囲で、係止突起１６よりも背面側となる領域）に形成されているといえる。【０１９７】
また、突設部１８が屋根瓦３（瓦本体９としてもよい）の上面における屋根瓦３（瓦本体９としてもよい）の外周部よりも内側に形成されているので、溝部１８ｉも屋根瓦３（瓦本体９としてもよい）の上面における屋根瓦３（瓦本体９としてもよい）の外周部よりも内側に形成され、また、突設部２０が屋根瓦３（瓦本体９としてもよい）の上面における屋根瓦３（瓦本体９としてもよい）の外周部よりも内側に形成されているので、溝部２０ｉも屋根瓦３（瓦本体９としてもよい）の上面における屋根瓦３（瓦本体９としてもよい）の外周部よりも内側に形成されている。【０１９８】
実施例３の屋根瓦３における上記以外の構成は、実施例１の屋根瓦１と同様であるので詳しい説明を省略する。【０１９９】
なお、上記実施例１と同様に、屋根瓦３の係止突起１６と突設部１８、２０以外の構成を図２５に示す構成に対して左右対称としてもよい。【０２００】
また、実施例３の連結金具（太陽電池モジュール設置用連結金具）１０５は、実施例１の連結金具１０１と略同一の構成であるが、図２６、図２７に示すように、底面部１１０の構成、特に、底板部１１１の開口部１１２ｂ、１１２ｃの構成と、弾性部１１４、１１６の構成が異なる。【０２０１】
すなわち、底板部１１１は、底板部１１１の略中央に設けられた方形状の開口部１１２ａと、開口部１１２ａの正面側に開口部１１２ａと間隔を介して設けられた開口部１１２ｂと、開口部１１２ａの背面側に開口部１１２ａと間隔を介して設けられた開口部１１２ｃとを有しているが、開口部１１２ｂと開口部１１２ｃは、左右方向に横長の長方形状を呈している。開口部１１２ｂと開口部１１２ｃは、開口部１１２ａから等距離（略等距離としてもよい）の位置に形成され、開口部１１２ｂと開口部１１２ａ間の距離と開口部１１２ｃと開口部１１２ａ間の距離とは、同一（略同一としてもよい）となっている。【０２０２】
また、弾性部１１４（舌片状弾性部１１４としてもよい）は、底面部１１０を切り欠いて形成され、開口部１１２ｂの右側面側の辺部から左側面側に向けて形成されている。すなわち、弾性部１１４は、開口部１１２ｂの右側面側の辺部から左側面側に向けて形成された弾性部本体１１４ｈと、弾性部本体１１４ｈの先端（左側面側の端部）から連設された先端部１１４ｉとを有している。弾性部本体１１４ｈは、略長方形状（舌片状）の板状を呈し、先端にいくほど幅狭に形成され、底板部１１１に対して下方に折曲して形成されている。つまり、弾性部本体１１４ｈは、正面視において、底板部１１１に対して鋭角をなしている。弾性部本体１１４ｈにおける基端から先端への方向は、底板部１１１の短手方向となっている。【０２０３】
また、先端部（嵌合部）１１４ｉは、長方形状の板状を呈し、弾性部本体１１４ａの先端から下方に突出して形成され、弾性部本体１１４ａに対して屈曲して形成され、弾性部本体１１４ｈに対して直角（略直角としてもよい）をなしている。つまり、弾性部１１４は、正面視において、略Ｌ字状を呈している。なお、先端部１１４ｉは、前後方向に形成されている。先端部１１４ｉは、溝部１８ｉに嵌合する大きさに形成され、先端部１１４
ｉの前後方向の長さは、溝部１８ｉの長さと同一又は溝部１８ｉの長さよりも若干短く形成されるとともに、先端部１１４ｉの厚みは、溝部１８ｉに嵌合する厚み（少なくとも溝部１８ｉの幅以下の厚み）に形成されている。【０２０４】
また、弾性部１１６（舌片状弾性部１１６としてもよい）は、底面部１１０を切り欠いて形成され、開口部１１２ｃにおける左側面側の辺部から連設され、開口部１１２ａ（具体的には、開口部１１２ａの平面視における中心位置）を中心に、弾性部１１４と点対称（略点対称としてもよい）に形成されている。すなわち、弾性部１１６は、開口部１１２ｃの左側面側の辺部から右側面側に向けて形成された弾性部本体１１６ｈと、弾性部本体１１６ｈの先端（左側面側の端部）から連設された先端部１１６ｉとを有している。弾性部本体１１６ｈは、略長方形状（舌片状）の板状を呈し、先端にいくほど幅狭に形成され、底板部１１１に対して下方に折曲して形成されている。つまり、弾性部本体１１６ｈは、背面視において、底板部１１１に対して鋭角をなしている。弾性部本体１１６ｈにおける基端から先端への方向は、底板部１１１の短手方向となっている。【０２０５】
また、先端部（嵌合部）１１６ｉは、長方形状の板状を呈し、弾性部本体１１６ａの先端から下方に突出して形成され、弾性部本体１１６ａに対して屈曲して形成され、弾性部本体１１６ｈに対して直角（略直角としてもよい）をなしている。つまり、弾性部１１６は、背面視において、略Ｌ字状を呈している。なお、先端部１１６ｉは、前後方向に形成されている。先端部１１６ｉは、溝部２０ｉに嵌合する大きさに形成され、先端部１１６ｉの前後方向の長さは、溝部２０ｉの長さと同一又は溝部２０ｉの長さよりも若干短く形成されるとともに、先端部１１６ｉの厚みは、溝部２０ｉに嵌合する厚み（少なくとも溝部２０ｉの幅以下の厚み）に形成されている。【０２０６】
先端部１１４ｉと開口部１１２ａ間の前後方向の距離と先端部１１６ｉと開口部１１２ａ間の前後方向の距離とは、略同一となっていて、先端部１１４ｉと先端部１１６ｉとは、左右方向にずれて形成されている。【０２０７】
先端部１１４ｉと先端部１１６ｉとは、開口部１１２ａ（開口部１１２ａの平面視における中心位置としてもよい）を中心に互いに略点対称（点対称としてもよい）の位置に形成され、先端部１１４ｉと先端部１１６ｉとは、開口部１１２ａ（開口部１１２ａの平面視における中心位置としてもよい）を中心に互いに略点対称（点対称としてもよい）に形成されている。つまり、平面視において、先端部１１４ｉの背面側の端部と先端部１１６ｉの正面側の端部とを結ぶ直線における先端部１１４ｉの背面側の端部と先端部１１６ｉの正面側の端部から等距離の点である中心点（この中心点は、平面視において、開口部１１２ａの領域内にある）を中心に点対称の位置に形成され、先端部１１４ｉと先端部１１６ｉとは、該中心点を中心に点対称に形成されている。【０２０８】
連結金具１０５における上記以外の構成は、実施例１の連結金具１０１と同一であるので詳しい説明を省略する。なお、連結金具１０５は、実施例１の連結金具１０１と同様に、弾性を有する１枚の板状の鋼材（例えば、ステンレス製のバネ鋼材）により形成されているので、弾性部本体１１４ｈ、１１６ｈは弾性を有している。【０２０９】
実施例３における太陽電池モジュールの構成は、実施例１と同様であるので詳しい説明を省略する。なお、弾性部１１４は、開口部１１２ａの正面方向の位置に設けられ、弾性部１１６は、開口部１１２ａの背面方向の位置に設けられている。屋根瓦３と連結金具１０５と太陽電池モジュール２０１とにより太陽電池取付け構造体を構成する。【０２１０】
連結金具１０５の屋根瓦３への取付けの方法は、実施例１の場合と略同様であるが、連結金具１０５のスライド方向が異なる。すなわち、連結金具１０５の正面側を屋根瓦１の
頭部１４側として、係止突起１６を連結金具１０５の開口部１１２ａに挿通するとともに、弾性部１１４の先端部１１４ｉと弾性部１１６の先端部１１６ｉが屋根瓦３の上面に接した状態で、連結金具１０５を屋根瓦３側に押圧して、底板部１１１が突設部１８の上面部１８ａと突設部２０の上面部２０ａに接した状態とすることにより、弾性部１１４、１１６が上方に回動して、弾性部１１４が開口部１１２ｂから上方に突出した状態となり、弾性部１１６が開口部１１２ｃから上方に突出した状態となる。この状態では、先端部１１４ｉは、溝部１８ｉの右側面側にあり、先端部１１６ｉは、溝部２０ｉの右側面側にある。【０２１１】
その後、連結金具１０５を屋根瓦３の左側面側にスライドさせることにより、開口部１１２ａの右側面側の縁部が係止突起１６の切欠部１６ｆ内に入り込む。【０２１２】
その後、さらに、連結金具１０５を屋根瓦３の左側面側にスライドさせることにより、弾性部１１４の先端部１６ｅが溝部１８ｉに嵌合するとともに、弾性部１１６の先端部１８ｅが溝部２０ｉに嵌合して、図２８に示す状態となる。【０２１３】
なお、先端部１１４ｉが溝部１８ｉに嵌合し、先端部１１６ｉが溝部２０ｉに嵌合した状態では、開口部１１２ａの右側面側の縁部は、切欠部１６ｆの奥部（左側面側の端部）に位置し、底板部１１１は、係止突起１６に係止する。以上のようにして、連結金具１０５が屋根瓦３に係止・固定することにより、屋根瓦３に取り付けられる。【０２１４】
屋根瓦３の屋根面への施工の方法や、太陽電池モジュール２０１の連結金具１０５への取付け方法は、実施例１と同様であるので詳しい説明を省略する。【０２１５】
本実施例の屋根瓦３や連結金具１０５によっても、実施例１と同様の効果を得ることができる。【０２１６】
つまり、屋根瓦３によれば、屋根瓦１の頭部に連結金具１０５の弾性部を係止する構成ではないので、屋根瓦の頭部に切欠部を形成する必要がなく、屋根瓦の見栄えをよくすることができ、また、切欠きが形成されないので、屋根瓦の頭部が損傷するおそれがない。また、屋根瓦３では、溝部部１８ｉ、２０ｉは、瓦本体の外周部よりも内側に形成されているので、溝部１８ｉ、２０ｉの形成箇所は焼成による収縮の度合いが小さく、屋根瓦３の溝部１８ｉ、２０ｉを精度よく位置決めすることができ、連結金具の弾性部１１４、１１６との係合を強固にすることができ、取り付けた連結金具１０５がずれることがない。【０２１７】
また、連結金具１０５においても、連結金具１０５の開口部１１２ａが係止突起１６に係止するとともに、先端部１１４ｉが溝部１８ｉに嵌合し、先端部１１６ｉが溝部２０ｉに嵌合する構成であるので、桁方向や流れ方向に連結金具１０５がずれるおそれがなく、連結金具１０５の屋根瓦３に対する取付け位置がずれるおそれがない。【０２１８】
また、屋根瓦３と連結金具１０５において、弾性部１１４は、屋根瓦３の周囲の端部よりも内側に形成された溝部１８ｉに嵌合するので、連結金具１０５の正面側（軒側）の端部と屋根瓦３の正面側（軒側）の端部とは、流れ方向において略同一の位置となり、少なくとも、連結金具１０５が屋根瓦３の頭部から軒側の突出する長さを短くすることができるので、結果として、太陽電池モジュール２０１が屋根瓦１の頭部から軒側に突出する長さを短くすることができ、太陽電池モジュールが風に吹き上げられる程度を小さくできるとともに、太陽電池モジュールの施工状態の見栄えもよくすることができる。【０２１９】
なお、実施例３の屋根瓦において、係止突起１６は右側面側に切欠部１６ｆを有するとしたが、左側面側に切欠部１６ｆを有する構成としてもよい。その場合には、連結金具１
０５を右側面側にスライドさせて連結金具１０５を取り付けることになる。【０２２０】
また、実施例３の屋根瓦３において、溝部１８ｉは突設部１８の左側面側に形成され、溝部２０ｉは突設部２０の右側面側に形成されているとしたが、逆の構成とし、溝部１８ｉが突設部１８の右側面側に形成され、溝部２０ｉが突設部２０の左側面側に形成してもよい。その場合には、弾性部１１４は、開口部１１２ｂの左側面側の辺部から連設し、弾性部１１６は、開口部１１２ｃの右側面側の辺部から連設することになる。【０２２１】
なお、実施例３において、屋根瓦３は２つの突設部１８、２０を有し、連結金具１０５は、２つの弾性部１１４、１１６を有するものとしたが、屋根瓦３において、突設部１８と突設部２０のいずれか一方のみとし、連結金具１０５における弾性部も突設部に対応するもののみとしてもよい。【０２２２】
また、上記実施例３の連結金具１０５においては、弾性部１１４、１１６が板状の先端部を有する構成としたが、実施例２のようにピンの構成としてもよく、その場合も、一対のピン（特に、ピンにおける柱状部）は、開口部１１２ａ（具体的には、開口部１１２ａの平面視における中心位置）を中心に略点対称（点対称としてもよい）の位置に形成され、一対のピンは、開口部１１２ａ（具体的には、開口部１１２ａの平面視における中心位置）を中心に略点対称（点対称としてもよい）に形成される。また、その場合には、溝部１８ｉや溝部２０ｉの位置には、円形の穴部（嵌合凹部）が形成されることになり、一対の穴部は、係止突起１６を中心に略点対称（点対称としてもよい）の位置に形成される。なお、ピンにおける柱状部は、柱状であれば、円柱状でなくてもよく、例えば、三角柱状、四角柱状等の多角柱状であってもよい。また、柱状部は、柱状でなくても、先端にいくほど小径となる錐状としてもよく、例えば、円錐状、三角錐状、四角錐状としてもよい。【０２２３】
なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。また、Ｕ１−Ｕ２方向は、Ｒ１−Ｒ２方向と直角な方向である。
【符号の説明】
【０２２４】
１、２、３  屋根瓦
１０  本体部
１８、２０  突設部
１８ｆ、２０ｆ、１８ｉ、２０ｉ  溝部
１８ｈ、２０ｈ  穴部
１４  頭部
１６、５８  係止突起
１６ｆ  切欠部
３０  差込み部
４０  桟部
５０  尻部
１０１、１０２、１０３、１０４、１０５  連結金具
１１０  底面部
１１１  底板部
１１２ａ、１１２ｂ、１１２ｃ  開口部
１１４、１１６  弾性部
１１４ａ、１１６ａ、１１４ｈ、１１６ｈ  弾性部本体
１１４ｂ、１１６ａ、１１４ｉ、１１６ｉ  先端部
１１４ｃ、１１６ｃ  ピン
１１４ｃ−１、１１６ｃ−１  頭部
１１４ｃ−２、１１６ｃ−２、１１４ｅ、１１６ｅ、１１４ｇ、１１６ｇ  柱状部
１２０、１３０、１４０、１５０  側壁部
１２１、１３１、１４２、１４４  側板部
１２２、１３２  帯板部
１２４、１３４  傾斜板部
１２６、１２８、１３６、１３８  受け板部
１４２ａ、１５２ａ  本体板部
１４２ｂ、１５２ｂ  中間板部
１４２ｃ、１５２ｃ  先端板部
１４４、１５４  係止部
１４４ａ、１５４ａ  下端部
２０１  太陽電池モジュール
２１０  主構成部
２２０  フレーム
２２２ａ、２２２ｂ  長辺部
２２４ａ、２２４ｂ  短辺部
２３０  支持部
２３１  支持部本体
２３２  係止部
２３４  金具係止部
２３４ａ  係止部本体
２３４ｂ  爪部
【図１】
2013073351.tif 000003
【図２】
2013073351.tif 000004
【図３】
2013073351.tif 000005
【図４】
2013073351.tif 000006
【図５】
2013073351.tif 000007
【図６】
2013073351.tif 000008
【図７】
2013073351.tif 000009
【図８】
2013073351.tif 000010
【図９】
2013073351.tif 000011
【図１０】
2013073351.tif 000012
【図１１】
2013073351.tif 000013
【図１２】
2013073351.tif 000014
【図１３】
2013073351.tif 000015
【図１４】
2013073351.tif 000016
【図１５】
2013073351.tif 000017
【図１６】
2013073351.tif 000018
【図１７】
2013073351.tif 000019
【図１８】
2013073351.tif 000020
【図１９】
2013073351.tif 000021
【図２０】
2013073351.tif 000022
【図２１】
2013073351.tif 000023
【図２２】
2013073351.tif 000024
【図２３】
2013073351.tif 000025
【図２４】
2013073351.tif 000026
【図２５】
2013073351.tif 000027
【図２６】
2013073351.tif 000028
【図２７】
2013073351.tif 000029
【図２８】
2013073351.tif 000030
【図２９】
2013073351.tif 000031
【図３０】
2013073351.tif 000032
【図３１】
2013073351.tif 000033
【図３２】
2013073351.tif 000034
【図３３】
2013073351.tif 000035
【図３４】
2013073351.tif 000036
【国際調査報告】
2013073351.tif 000037
2013073351.tif 000038